(57)【特許請求の範囲】
【請求項１】
吊り下げ式格子天井と係合された反射板照明器具および少なくとも１つの殺菌灯キットを備える殺菌灯器具であって、
前記殺菌灯キットは、筺体、空気誘導用組立部およびＵＶ照射用組立部を備え、
前記吊り下げ式格子天井は、１つの平面を備え、
前記反射板照明器具は、
少なくとも２つの長手方向に配置されたエンドプレート、１つの凹内面および１つの凸外面を備える細長いハウジングであって、前記凹内面は、複数の側面を有する周囲で空洞を画定し、前記空洞内に１つ以上のランプを受容するための、細長いハウジングと、
前記空洞を封入するための前記細長いハウジングと係合するためのトリム部材であって、前記トリム部材は、前記細長いハウジングの前記凹内面の前記周囲と係合され、および前記トリム部材は、前記細長いハウジングの長手方向に沿って、前記少なくとも２つのエンドプレートを超えて延在して突起部を形成し、前記突起部は、突起部を貫通する少なくとも１つの隙間を有する、トリム部材と、
前記細長いハウジングの前記凸外面に隣接して支持されるバラストレールであって、前記バラストレールは、１つのバラストを受容し、前記細長いハウジングから離れた前記バラストと、前記ハウジングによって形成された前記空洞の外側とを支持することにより、前記バラストレールと前記バラストとが、前記細長いハウジングおよび前記空洞の外側で係合されている、バラストレールと、および
前記反射板照明器具を、前記細長いハウジングの前記周囲の側面のうちの１つについて枢動関係で、前記吊り下げ式格子天井に装着させる枢動部材であって、且つ前記反射板照明器具の作動中に前記吊り下げ式格子天井と同じ平面に、前記反射板照明器具が存在する第１の枢動位置と、暴露された前記バラストと共に、前記吊り下げ式格子天井から９０°移動して、前記周囲の前記側面のうちの１つから枢動された前記反射板照明器具が存在する第２の枢動位置とを有する枢動部材と、を備えており、
前記殺菌灯キットの前記筺体は、前記トリム部材の前記突起部と係合することにより、流動する空気が前記空気誘導用組立部に取り込まれ、前記トリム部材の前記少なくとも１つの隙間を通って排出される、殺菌灯器具。
【請求項２】
前記空気誘導用組立部は、前記空気誘導用組立部を通って空気を移動させるための、空気流動装置、入口チャンバ、少なくとも１つのバッフル、照射チャンバ、および出口チャンバを備える、請求項１に記載の殺菌灯器具。
【請求項３】
前記照射チャンバの中の前記空気の流れは、乱気流である、請求項２に記載の殺菌灯器具。
【請求項４】
前記照射チャンバの中の前記乱気流は、４０００を上回るレイノルズ数を有する、請求項３に記載の殺菌灯器具。
【請求項５】
前記照射チャンバ内のＵＶ光の強度の測定、およびメンテナンス用のシグナリング、ならびに前記照射チャンバ内の殺菌性の物質を試験し、前記殺菌性の物質が前記照射チャンバ内にある間に達成された低下の指標の提供、またはそれらの組み合わせのためのセンサをさらに備える、請求項２に記載の殺菌灯器具。
【請求項６】
前記空気誘導用組立部は、反射性表面、抗菌性表面またはそれらの組み合わせで被覆される、請求項２に記載の殺菌灯器具。
【請求項７】
吊り下げ式格子天井と係合するよう構成された反射板照明器具と係合するよう構成された筺体を備える殺菌灯器具であって、
前記筺体は、
空気誘導のための、筺体内部にある組立部であって、該組立部は、空気流動装置、入口チャンバ、少なくとも１つのバッフル、照射チャンバ、および出口チャンバを備え組立部を通って空気を移動させるための組立部と、および
前記照射チャンバと関連して作動するＵＶ光を照射するための、筺体内部にある組立部と、を備え、
前記吊り下げ式格子天井は１つの平面を備え、および、
前記反射板照明器具は、
少なくとも１つの凹内面および凸外面を備える細長いハウジングであって、前記凹内面は空洞を画定し、前記細長いハウジングは、前記空洞内に１つ以上のランプを受容するための、細長いハウジングと、
前記細長いハウジングの前記凸外面に隣接して支持されるバラストレールであって、前記バラストレールは、１つのバラストを受容し、前記細長いハウジングから離れた前記バラストと、前記ハウジングによって形成された前記空洞の外側とを支持することにより、前記バラストレールと前記バラストとが、前記細長いハウジングおよび前記空洞の外側で係合されている、バラストレールと、および
前記反射板照明器具を、前記細長いハウジングの周囲の側面のうちの１つについて枢動関係で、前記吊り下げ式格子天井に装着させる枢動部材であって、且つ前記反射板照明器具の作動中に前記吊り下げ式格子天井と同じ平面に、前記反射板照明器具が存在する第１の枢動位置と、暴露された前記バラストと共に、前記吊り下げ式格子天井から９０°移動して、前記周囲の前記側面のうちの１つから枢動された前記反射板照明器具とが存在する第２の枢動位置とを有する枢動部材と、を備える、殺菌灯器具。
【請求項８】
前記照射チャンバの中の前記空気の流れは、乱気流である、請求項７に記載の殺菌灯器具。
【請求項９】
前記照射チャンバの中の前記乱気流は、４０００を上回るレイノルズ数を有する、請求項８に記載の殺菌灯器具。
【請求項１０】
前記照射チャンバ内の前記ＵＶ光の強度の測定、およびメンテナンス用のシグナリング、ならびに前記照射チャンバ内の殺菌性の物質を試験し、前記殺菌性の物質が前記照射チャンバ内にある間に達成された低下の指標の提供、またはそれらの組み合わせのためのセンサをさらに備える、請求項７に記載の殺菌灯器具。
【請求項１１】
前記空気誘導用組立部は、反射性表面、抗菌性表面またはそれらの組み合わせで被覆される、請求項７に記載の殺菌灯器具。
【発明の詳細な説明】
【技術分野】
【０００１】
本開示は、概して、ＵＶ照明と一般的に称される、「紫外線」の使用を通してある浮遊微生物に対する「殺菌による根絶」の分野に関する。より具体的には、本開示は、さらなるＵＶ照明機構を封入するための装置のような、特定の領域を照らすための一次照明源として概して特定される、一般的に使用される照明器具の適合に関する。さらに、本開示は、吊り下げ式格子天井または隙間のない天井と共に使用される、照明器具に統合することができるデバイスに関する。また、本開示は、照明器具と関連して使用される殺菌器具と、新しい殺菌灯器具用の装置、および効率的な殺菌用途のために既存の照明器具を置き換えるまたは変更するための装置とに関する。
【背景技術】
【０００２】
通常、人が多く集まる施設では、空中に細菌が存在する可能性が最も高く、感染症と関連付けられる浮遊微生物の伝染の割合を減少させる必要性が求められる。直接的な暴露からの即時型の病気、または二次感染に関連する遅効に関するような、感染疾患の人間への影響は、よく報告されている。これらの空中の細菌および微生物を減少することに対する産業の同意が、広く望まれ求められている。また、化学物質等、他の方法による紫外線またはＵＶ光の使用が広く理解されていることがわかっている。
【０００３】
飲料水の栄養価を高めるため、およびカビを減らし、コイル上へ封じ込めを集積する目的で冷暖房空調設備（「ＨＶＡＣ」）システムにて使用するための、水処理におけるＵＶ光の使用には、証明済みの成功実績がある。美容院で使用されるようなバリカンおよび他の道具等、一般用途の機器の表面上にいるバクテリアを殺すＵＶ光の能力は、日常の使用において観察することができる。
【０００４】
病室等の領域で微生物を根絶するための最も一般的な方法は、普通、浮遊しているのではなく、対象と直接接触して伝染する微生物に関係する。表面に関連するバクテリアを制御するために現在実践中の方法は、化学雑巾、または消毒スプレーおよび他の種々の接触法に関連付けられる。これらの方法の全ては、バクテリアを効果的に根絶するために、微生物との直接接触が必要であり、長時間が必要なものもある。ほとんどの場合、存在する微生物の大多数は殺されない。微生物が殺されないのには多くの理由があり、例えば、化学物質が蒸発するのが速すぎ、微生物が変異するか、または、化学物質に免疫ができるかのいずれかを可能にし、そのため、その変異能力のため、将来根絶するのがより危険でより困難になるからである。これらの方法のうちの１つも、浮遊微生物の根絶には対処していない。
【０００５】
それに対して、ＵＶ光の利点は、根絶に対してより高い割合を有し、かつ変異し、将来根絶するのにより危険でより問題となる、バクテリアの能力を排除する能力で根絶するところである。現行のＵＶ照明デバイスは、光の場所に来る浮遊微生物を殺すのみである。このＵＶ技術は、設計において停滞しており、食品の調理エリアおよび飲食店の食堂等、他の産業で見ることができるが、その効果は依然としてその現場のライン内を通過する空気の量に依存する。皮膚および目への紫外線暴露の危険性のため、これらの設計内におけるランプ技術の配置は、大抵、大容量の空気用の処理には貢献せず、したがって、大容量領域を効果的に処理する効果は限定される。
【０００６】
そのため、吊り下げ式格子天井または隙間のない天井用途での使用のために設計される照明器具の本体中に連結されるように、組み込みキットまたは独立型設計のいずれかとして設計される、「浮遊」バクテリアを根絶することができる「紫外線」システムの使用は、望ましくかつ実用的の両方であろう。ＵＶ光は、ＵＶ光により空気を動かすように、ファン、換気デバイス、またはさらなる対流と連結される。
【０００７】
通常、建物においては、格子開口部の中のパネルを支持する金属格子を有する、吊り下げ式天井が一般的である。概して、そのような天井では、直接照明器具が、室内照明を提供するために、選択された格子開口部の中のパネルに置き換わっている。このような照明器具は、大抵、ボックスの中に載置された幾つかの蛍光灯を、同時に、ボックスの底の上に半透明または放物線のカバーを伴って有する、底の開いたボックスである。ボックスは格子上で支持される。直接照明では、ランプからの光は、半透明または放物線のカバーを通って部屋の中へと直接下方へと輝く。概して、ランプは下方から見ることができる。このような蛍光照明の直接的形態は、比較的費用がかからないが、非常に簡素で実利的であり、あまり装飾的効果、または種々の長さまたは数量の将来的のランプ技術にアップグレードする能力もなく、蛍光照明器具の通常動作と関連付けられる関連メンテナンスを単純化するための考慮もない。
【０００８】
間接または反射タイプの蛍光照明もまた、固定天井だけでなく吊り下げ式格子天井で使用される。このような間接照明では、蛍光灯は目につきにくいか、または見ることができないが、照明により部屋中に冷光を生じ、望ましい装飾効果を達成するように使用することができる。半透明から不透明なカバー、鏡板、またはレンズは、通常、このタイプの照明と共に使用される。光は、反射された後、空間を通って部屋の中に入り輝く。間接照明の１つの形態では、ランプは、吊り下げ式天井の天井パネルの下方に位置付けられ、天井を背に部屋の中へ反射する。不透明シールドが、下方の部屋からランプが見えるのを隠す。このような設置は、概して、付随の概して大きな支出を伴う、特注の設計および設置となる。
【０００９】
天井に対して反射する間接照明を特注設計して設置する支出を避けるために、間接照明器具を、直接照明器具のように、格子開口部の中に支持することができる。吊り下げ式格子天井における間接照明のこの形態では、器具は、米国特許第５，７０９，４６０号のように、格子開口部それ自体を通って光を反射する。参照される特許では、ランプは、開口部に隣接するパネルの上方および背後に位置付けられる。ランプは視界から隠される。光は、開口部およびランプを覆うドームから、格子開口部を通って下方の部屋の中へ反射される。マスクまたはトリムは、随意で、そこを通って反射光が移動する開口部の領域を減らし、さらに下方からの視界からランプを隠すように、器具に固定される。反射ドームを含む器具は、格子梁フランジ上に載っている。
【００１０】
蛍光灯によって生み出される光は、水銀および不活性ガスを通って伝道される電流によって生成される。いつもではないが概して、蛍光照明は、アンビエント照明およびタスク照明の両方として室内用途に使用される。最もよく使用されるタイプの蛍光灯は、２フィート×２フィート（２′×２′）、２フィート×４フィート（２′×４′）、および１フィート×４フィート（１′×４′）ランプであり、他にも異なる寸法のものが存在するが、その他は、屋内でのアンビエント照明またはタスク照明の用途と関連付けられる際にはそれほど一般的ではない。蛍光灯器具およびランプは、それらの視覚的効率により、白熱電球よりも作り出す直接グレアが少なく、かつ蛍光照明は、白熱照明の数倍エネルギー効率が良いため、広い領域でのアンビエントおよびタスク照明に好まれる。
【００１１】
蛍光灯は、概してエネルギー効率が良いが、より旧式の蛍光灯タイプと比較すると、改良された電極およびコーティングを使用する、より効率的なランプがある。これらのランプは、改良された、実質的に低い消費電力で、ルーメン出力の増加を生み出す。現行のランプは、より小さいワット数および改良された視覚的側面を有する省エネランプと置き換えることができるが、より短い長さのランプが存在し、より短いランプにより、エネルギーの節約においてさらにより大きな改良を可能にするか、または用途のタスクに対してより実用的になるであろう時でさえ、現行の器具は、現在、製造業者によって元々設計されたのと同じ長さおよび構成のランプを使用しなくてはならないという必然によって制限を受ける。また、よりエネルギー効率の良いバラストも利用可能である。これらの改良されたバラストにより、器具のエネルギー効率を計れる程度増加することができる。
【００１２】
現代のエネルギー効率の良いランプおよびバラストを設置するように、新しい照明器具向けだけでなく、限定するものではないが、オフィスビル、住居用建物、倉庫、商店街、病院、空港、学校、大学、自治体の建物、および工場を含む、いずれの適切な用途における既存の蛍光照明のアップグレード向けに、大きな市場が存在する。加えて、多くのより旧式の蛍光照明器具は、その当時最も効率が良かったために設置された。エネルギー効率およびコスト削減に対する今日の懸念から、現行の蛍光灯器具を、用途のタスクに関係する、より優れたエネルギー効率を有するものにアップグレードすることが望ましい。器具をアップグレードする時、将来のランプの傾向および標準に選択肢を提供するように、柔軟で拡張可能な器具を使用することが重要である。本明細書で使用する通り、拡張性はランプの長さを指し、柔軟性は各器具におけるランプの数を指す。
【００１３】
多くの場合、単一の建物は、複数の器具サイズを有するであろう。現時点では、別個の異なる照明器具が、１つ以上の蛍光灯を担持する各器具構成に必要とされる。所与の構造では、これは、１つまたは２つの異なる器具構成から、複数の構成まで異なってもよいが、通常制限されない。それゆえ、製造業者は、蛍光灯に対して、同数の個々の異なる器具構成を作成し置いておかなくてはならない。
【００１４】
それゆえ、既存の構造およびその中の器具に関して、強化された拡張性および柔軟性を有する器具装置へのニーズが存在する。
【００１５】
それゆえ、種々の蛍光灯の長さおよびランプのタイプを有する複数のランプ構成を保持することができる、照明器具を提供することが有用であり、器具は、キットを介して取り換え可能であるか、または具体的には、ある浮遊微生物を殺菌により根絶する目的のために、紫外照明の構成を組み込むように設計される。ＵＶ光は、ＵＶ光により空気を動かすように、ファン、換気デバイス、またはさらなる対流と連結される。
【００１６】
本開示の特徴は、大量の空気を紫外照明を含有する洗浄チャンバの中に引き込むことができる、機械デバイスを提供することである。
【００１７】
本開示の別の特徴は、有害な汚染物質の空気が、殺菌紫外照明の使用を経て同じ領域中に戻る前に、洗浄することである。
【００１８】
本開示のまた別の特徴は、限定するものではないが、ＬＥＤ、蛍光、エキシマ、白熱、およびその他等の、複数のＵＶランプ技術の使用を組み込む能力を有することである。
【００１９】
本開示のまた別の特徴は、ＵＶランプを完全に被包して、通常作動中に有害なＵＶ光への露光の可能性、および定期的メンテナンスの問題を排除することである。
【００２０】
本開示のまた別の特徴は、領域の中に安全に配置し、一般の人々による人口密度の高い領域に一般的な照明として使用することができる、一般的な照明器具内に縦並びに含有されることである。
【００２１】
本開示のまた別の特徴は、メンテナンスの必要性を適切な実体に通知することができる警告センサと連結され、殺菌による根絶の最大限の効率化のために、それ自体を監視する能力である。
【００２２】
本開示のまた別の特徴は、器具のハウジング内にＵＶ装置を含有する領域が、何らかの理由で開くと、ＵＶランプおよび機械的空気移動デバイスへの電力が自動的に切れる能力である。
【００２３】
本開示のまた別の特徴は、部品の取り替え用に道具または専門的な訓練を必要とせずに、一般の労働力を使用して、全ての部品に対処しメンテナンスするように設計されている。
【００２４】
本開示のまた別の特徴は、異なる構成のランプおよびモータ制御部を実現することができる設計および範囲において様々であり、かつ数々の市場用に種々の審美的概念を有するキットを供給する能力である。
【００２５】
本開示のまた別の特徴は、キットとして既存の器具への置き換えまたは追加の簡易化のための、プラグアンドプレイ能力をこれらのキットに供給することである。
【００２６】
そのため、種々の蛍光灯の長さおよびランプのタイプを有する複数のランプ構成を担持することができる、単一の照明器具を提供することは有用であろうため、したがって器具は取り換え可能である。
【００２７】
本開示の特徴は、直接照明器具から間接照明器具へ変更される能力を照明器具システムに提供し、所望のタスク照明を改良するか、または所望のタスク照明に合致するように、要望または必要とされる通り、種々の審美的、メンテナンス面の、および改良された効率性ならびに選択肢を提供することができる、照明器具システムを提供することである。
【００２８】
本開示の特徴は、新しい器具のハウジングを購入または使用する必要なく、器具に種々のランプ長、ランプタイプ、およびランプ構成を使用する能力を認め、種々の可撤性穴あきスロットを装備する、器具のハウジングを有する照明器具システムを提供することである。
【００２９】
本開示の特徴は、電気技師または他の技術を有する技術者の必要性を減少させるか、あるいは関連する法または条例によって許可される通り、技術を有さない技術者を必要とするのみで、種々のランプ構成を収容するように、現場または製造施設にて可撤性で再構成可能である必要な部品全てを有する、照明器具システムを提供することである。
【００３０】
本開示の別の特徴は、関連する法または条例によって許可される通り、電気技師またはその他の技術を有する技術者の必要性を減少させる一方で、種々のランプタイプ、長さ、ワット数、サイズ、および部品を収容するように、現場または製造施設にて可撤性で再構成可能である必要な部品全てを有する、照明器具システムを提供することである。
【００３１】
本開示のまた別の特徴は、関連する法または条例によって許可される通り、電気技師またはその他の技術を有する技術者の必要性を減少させ、種々のランプ数量を収容するように、現場または製造施設にて可撤性で再構成可能である必要な部品全てを有する、照明器具システムを提供することである。
【００３２】
本開示の別の特徴は、天井からまたは多くの場合その電源から、器具を係脱することなく、容易に再構成することができる、照明器具システムを提供することである。
【００３３】
本開示のまた別の特徴は、天井からまたは多くの状況ではその電源から器具を係脱することなく、かつ関連する法または条例によって許可される通り、通常電気技師、技術を有する作業者、またはその他の資格を有する技術者の必要性なく、容易に補修を行うことができる照明器具システムを提供することである。
【００３４】
本開示の別の特徴は、特別な道具、あるいは関連する法または条例によって許可される通り、電気技師、技術を有する作業者、またはその他の資格を有する技術者の必要性なく、電子部品の置き換え、またはその他の可能なメンテナンス上の検討事項に対して、器具に容易にアクセスするような、照明器具システムを提供することである。
【００３５】
本開示の別の特徴は、既存の器具のハウジングを除去することなく、本開示の器具の設置を提供する、照明器具システムを提供することである。
【００３６】
本開示の特徴は、器具構成とタイプおよび長さのランプ特性との間に釣り合いを提供する点で機能的なＳｈａｄｏｗ  ＢｏｘＴＭを有する、照明器具システムを提供することである。
【００３７】
本開示の別の特徴は、装飾用のトリムを有する、照明器具システムを提供することである。
【００３８】
本開示のまた別の特徴は、トリムを有する照明器具システムを提供することであり、そのトリムは、種々の材料、色、質感、切り込み、ロゴ、およびデザインから成ることができる。
【００３９】
本開示のまた別の特徴は、トリムを有する照明器具システムを提供することであり、そのトリムは、器具等を宣伝、ブランド設定、または個別化するためのロゴ、画像、またはスローガンを照らすための機能を有することができる。
【００４０】
本開示の別の特徴は、トリムを有する照明器具システムを提供することであり、そのトリムは、道具、特別な機器、または資格を有する技術者を使用せずに、除去および置き換えることができる。
【００４１】
本開示の別の特徴は、トリムを有する照明器具システムを提供することであり、そのトリムは、器具の中のランプからの光によって、または器具と関連付けられた補助光源から照らされる。
【００４２】
本開示の別の特徴は、ランプの長さに関する制限のない、幾つかの異なるタイプのランプに、種々のランプ構成用のランプホルダを提供する、照明器具システムを提供することである。
【００４３】
本開示の別の特徴は、器具を異なる構成に変更するための、照明器具システムを提供することである。
【００４４】
本開示のまた別の特徴は、トリムを有する照明器具システムを提供することであり、そのトリムは、限定するものではないが、より短いランプ長、ランプ位置、ランプ数量、レンズアタッチメント、および例示の間接照明等の好ましい照明タスクを行うのに必要なその他の関連する特徴に関して、器具の性能パラメータを最大化する機能性のために設計される。
【００４５】
本開示のまた別の特徴は、限定するものではないが、ロゴ、画像、またはスローガンの宣伝、あるいは特別注文の仕様に器具を個別化する目的のための、画像の照射または投影において、トリムを有する照明器具システムを提供することである。
【００４６】
本開示のまた別の特徴は、タスク用に設計された器具の仕様で組み込まれたランプを使用する、特別注文の仕様に器具を個別化する目的で、画像を宣伝し、照らし、または投影するためのトリムを有する、照明器具システムを提供することである。
【００４７】
本開示のまた別の特徴は、画像を照らすかまたは投影する目的で、代替の照明源を使用する特別注文の仕様に器具を個別化するために、画像を宣伝し、照らし、または投影するためのトリムを有する、照明器具システムを提供することであり、このような代替の照明源は、限定するものではないが、ＬＥＤ照明、冷陰極デバイス、ＣＦＬ、蛍光灯等である。
【００４８】
本開示のまた別の特徴は、エネルギー使用、バラスト寿命、およびランプ寿命を最適化するために、バラストおよびランプにより低い動作温度を提供するため、ランプおよびそれによって生成された関連の熱から離れるように、器具の外側にバラストが載置される、照明器具システムを提供することである。
【００４９】
本開示の別の特徴は、ランプおよび電力要件によって必要とみなされる通り、種々のバラスト長を使用することができる、照明器具システムを提供することである。
【００５０】
本開示のまた別の特徴は、道具、特別な機器、または技術を有する技術者なしでバラストを変えることができる、照明器具システム、すなわちプラグアンドプレイ特性を提供することである。
【００５１】
本開示のまた別の特徴は、器具の外側上に載置されるバラストを有する、照明器具システムを提供することであり、そのバラストは、交換またはメンテナンスのために容易にアクセスされる。
【００５２】
本開示の別の特徴は、器具の背面上に載置されてもよい、バラストカバーを提供する照明器具システムを提供することであり、そのカバーは、作動の非断熱領域に使用されるモデルで、過剰な熱を逃すことを可能にするように穴が開いており、その作動中、天井断熱はバラストカバーを係合しない。
【００５３】
本開示のまた別の特徴は、器具が作動中に使用される時、使用のために開口部のないバラストカバーを提供する照明器具システムを提供することであり、天井断熱はバラストカバーまたは器具の配線面に接触してもよい。
【００５４】
本開示のまた別の特徴は、エネルギー使用、バラスト寿命、およびランプ寿命を最適化するように、それに係合されるヒートシンクを有する、バラストを有する照明器具システムを提供することである。
【００５５】
本開示のなおも別の特徴は、複数のバラストだけでなく、複数のバラスト長およびサイズとの使用に適応可能な照明器具システムを提供することである。
【００５６】
本開示のまたなおも別の特徴は、器具を可撤的に受け入れるために、蛍光灯器具が収まるであろう開口部の周囲を係合する、設置装置を有する照明器具システムを提供することである。
【００５７】
本開示の特徴は、新しい器具が旧式の器具を除去することなく、設置装置に係合することができるように、旧式の器具が載っている設置装置を有する照明器具システムを提供することである。
【００５８】
本開示の別の特徴は、器具を受け入れるための設置装置を有する照明器具システムを提供することであり、その器具は、設置装置から枢動または係脱することによって、開くことができる。
【００５９】
本開示の別の特徴は、設置装置が空気帰還路を提供するために係合される、周囲と関連するための設置装置を有する照明器具システムを提供することである。
【００６０】
本開示の別の特徴は、器具を受け入れるための設置装置を有する照明器具システムを提供することであり、その器具は、設置装置に対して枢動してもしなくても、設置装置から除去するために係脱し下がることができる。
【００６１】
本開示のまたなおも別の特徴は、より奥行きのある新しい器具を薄型の器具の下に使用することができるように、器具を可撤的に受け入れ、薄型の器具を持ち上げるために、蛍光灯器具が収まるであろう開口部の周囲を係合する、設置拡張装置を有する照明器具システムを提供することである。
【００６２】
本開示のまた別の特徴は、照明器具が収まる天井、壁、またはＴ型格子を直接係合しない、照明器具を提供することである。
【００６３】
本開示のまた別の特徴は、表面取付ボックスとの使用に適合する照明器具を提供することであり、その表面取付ボックスは、本開示の設置装置を受け入れる。
【００６４】
本開示のまたなおも別の特徴は、トリム部材の開口部、またはＳｈａｄｏｗ  ＢｏｘＴＭトリムに対するいずれかの所望の角度を通って、光を方向付けるための導光を有する、照明器具を提供することである。
【００６５】
本開示のさらなる特徴および利点は、続く説明にある程度記載し、かつ説明からある程度明らかになるか、または本開示の実践によって学習されてもよい。本開示の特徴および利点は、添付の請求項で具体的に指摘される組み合わせおよびステップの手段により実現されてもよい。
【発明の概要】
【００６６】
前述の目的、特徴、および利点を達成するために、かつ本明細書に具体化し広く記載されるような本開示の目的に従い、殺菌灯器具を提供する。
【００６７】
モジュール式殺菌挿入部またはアタッチメント
チャンバ、紫外（ＵＶ）光源、および空気発動機を有する筺体を備える、モジュール式殺菌挿入部またはアタッチメントを提供する。モジュール式殺菌挿入部は、照明器具を係合するように適合する。チャンバは、チャンバを通過する空気の混合を提供するように適合する。ＵＶ光源は、例えば、バクテリアの物質内でＤＮＡ過程を中断させる等、バクテリアの物質を破壊するような波長で提供される。代替として、感知デバイスを、適切な殺菌効果を判定するために、処理された空気を試験するのに使用することができる。消費電力を制御し、望ましくない暴露を防止するのに、自動遮断を使用することができる。したがって、空気は、筺体の中へ移動し、チャンバ内を循環し、ＵＶ光源によって照射され、妥当な殺菌効果を判定するように感知され、筺体に隣接する領域に放出される。
【００６８】
器具のハウジング
器具のハウジングは、新しいハウジングを購入または使用する必要なく、器具が種々のランプ長、ランプタイプ、およびランプ数量を使用する能力を認め、種々の可撤性穴あきスロットを装備する。エンドプレートおよびランプホルダ等の全ての必要な／必要とされる部品は、種々のランプおよびその他の必要な光への必要性を実施することを可能にするように、現場および製造施設において可撤性であり、再構成可能である。ハウジングは、専門の道具を使用することなく組み立てられる装置である。光反射性を提供することに加えて、ハウジング装置のさらなる機能は、ランプの数、ランプの長さ、ランプのワット数、および照明器具の構成と関連付けられるいずれの他の関連パラメータに関するいかなる所望の構成でも、照明器具を構成するように、柔軟性を提供することである。モジュール式殺菌挿入部は、器具のハウジングと可撤的に関連付けられる。
【００６９】
本開示の一実施形態では、器具は、ランプと関連付けられる熱から離れて、ランプ空洞の外側上にバラストを伴う、Ｔ型格子から回転する。
【００７０】
組立の方法は、続く、（１）ハウジング、（２）エンドプレート、（３）ロックバー、（４）軸、（５）バネ付きピン、（６）電子機器、（７）Ｓｈａｄｏｗ  ＢｏｘＴＭトリム、（８）バラストカバー、（９）トゥームストーンカバー、（１０）レンズカバー、および（１１）モジュール式殺菌挿入部のうちの複数を使用する。
【００７１】
本開示の実施形態は、（１）電子機器およびランプへのアクセスを提供し、（２）器具を設置および除去し、（３）容易なメンテナンスを提供し、（４）器具全体を別のＴ型格子に容易に移動させ、（５）モジュール式殺菌挿入部を設置およびメンテナンスするように、天井から器具を回転させることである。
【００７２】
トゥームストーン／ランプホルダが提供される。トゥームストーン／ランプホルダは、種々のランプ構成との使用、およびいずれかの既知のランプに制限するものではないが、種々の異なるタイプのランプ（例えば、Ｔ８−Ｔ５）に適合可能である。
【００７３】
バラスト構成
いかなるバラスト長およびサイズをも使用する能力は、ランプおよび電力要件によって必要とみなされる通りであり、いかなる特定のバラストに制限するものではない。バラストは、道具、特別な機器、または電気コネクタの使用による配線を必要とせずに変更することができ、「プラグアンドプレイ」と説明することができる。
【００７４】
バラストは、その場所に限定するものではないが、器具の外側上に載置され、交換またはメンテナンスのために容易にアクセスされ、「スナップイン／スナップアウト」と説明することができる。バラストは、ランプと、エネルギー使用、バラスト寿命、およびランプ寿命を最適化するように、バラスト用により低い動作温度をもたらす、生成熱とから離れて、器具の外側に載置される。
【００７５】
バラストカバー
バラストカバーは、その場所に限定するものではないが、器具の背面上に載置され、作動の非断熱領域に使用されるモデルに、過剰な熱を逃がすことを可能にするように、穴があいていてもよく、その作動中、天井断熱がもしある場合には、バラストカバーを覆わない。天井断熱がバラストカバーまたは器具の配線面に接触するであろう、作動中に器具が使用される時、開口部のない代替のバラストカバーを使用することができる。
【００７６】
設置装置
設置装置は、いずれの天井、壁、Ｔ型格子等と照明器具との可撤性の係合を提供するためのものである。
【００７７】
設置装置が設置される方法は、必要とされる状況で異なる。一実施形態では、設置装置は、個々の一片を天井、壁、Ｔ型格子等と関連付けられる隙間の中に配置することによって、設置することができる。代替として、設置装置は、連動パネルを利用して、天井、壁、Ｔ型格子等と関連付けられる隙間に、完成品一式として容易に組み立て、その後設置される。
【００７８】
照明器具が、器具およびモジュール式殺菌挿入部への容易なアクセスを提供するために、設置装置から枢動するため、設置装置は、電子部品の交換、または照明器具およびモジュール式殺菌挿入部のその他の可能なメンテナンスの必要性のために、器具に容易にアクセスすることを可能にする。一実施形態では、照明器具は、器具およびモジュール式殺菌挿入部への容易なアクセスを提供するために、設置装置のチャネルロックグローブから枢動する。
【００７９】
さらに、設置装置により、所望の場合、既存の器具を除去することなく、照明器具の設置を提供する。
【００８０】
その中に開口部を有する天井／壁構造に照明器具を可撤的に装着するために、照明器具と共に設置装置を使用する方法は、（１）開口部の周囲を設置装置と係合するステップと、（２）照明器具が天井／壁構造に対して可撤的に係合されるように、照明器具を設置装置と係合するステップと、（３）器具の容易な作動およびメンテナンス用に、器具の全部品への容易なアクセスを提供するために、器具を設置装置から枢動または係脱させるステップと、（４）作動中の載置位置に器具を戻すステップとを含む。
【００８１】
その中の開口部に別の既存の照明器具を有する天井／壁構造に、照明器具を可撤的に装着するために、照明器具と共に設置装置を使用する方法であって、方法は、（１）既存の器具が光を向ける方向から離れた方向に、開口部から既存の照明器具を係脱するステップと、（２）開口部の周囲を設置装置と係合するステップと、（３）照明器具が設置装置と可撤的に係合され、既存の照明器具が天井／壁構造に対して可撤的に係合される照明器具の上に載るように、照明器具を設置装置と係合するステップとを含む。さらに、器具がそれだけで、それ自体の「ジャッキアップ」キットデバイスと共に使用することができる。これにより、変更、または「ジャッキアップキット」を設置装置に設置することなく、器具により奥行きを持たせることを可能にする。
【００８２】
その中に開口部を有する天井／壁構造に照明器具を可撤的に装着するために、既存の照明器具を変更する方法であって、方法は、（１）器具の背面を除去するステップと、（２）器具と除去した背面との間に枢動／ヒンジ／ラッチ機構を適合させるステップと、（３）背面が開口部から下がり、メンテナンスのためにアクセスすることができるように、機構に対して背面を枢動させるステップとを含む。また、枢動する背面により、種々のランプ長用に、取り外せるタブの使用を組み込み得る。
【００８３】
その中に開口部を有する天井／壁構造に照明器具を可撤的に装着するために、既存の照明器具を変更する方法であって、方法は、（１）既存の器具のハウジングを使用するステップと、（２）既存のハウジングとハウジングに収まるより小型の器具との間に、枢動／ヒンジ／ラッチ機構を適合させるステップと、（３）より小型の器具が既存の器具のハウジングから枢動するかまたは下がって、メンテナンスのためにアクセスすることができるように、機構に対してより小型の器具を枢動させるステップとを含む。代替として、本開示は、その中に開口部を有する天井／壁構造に照明器具を可撤的に装着するための、新しい照明器具を製造する方法を提供し、方法は、（１）器具のハウジングを使用するステップと、（２）より小型の器具がハウジングの中に収まるように、ハウジングとより小型の器具との間に枢動／ヒンジ／ラッチ機構を適合させるステップと、（３）より小型の器具がハウジングから枢動するかまたは下がって、メンテナンスのためにアクセスすることができるように、機構に対してより小型の器具を枢動させるステップとを含む。
【００８４】
多くの構成が可能であり、多くの異なる構成が本開示を実践する際に利用可能であることは、当業者によって理解することができる。限定するものではないが、構成の例は、（１）設置装置、（２）オプションのバラストカバーホール用のカバー板、（３）オプションのバラスト、（４）ランプ、（１）ランプ、（２）バラスト、（３）設置装置、（４）オプションの配線用ハーネス、ならびに（１）ランプ、（２）バラスト、（３）設置装置、（４）オプションの配線用ハーネス、（５）オプションのプラグアンドプレイコネクタ、（６）バラストカバーおよびランプホルダ用空白である。
【００８５】
Ｓｈａｄｏｗ  ＢｏｘＴＭトリム
Ｓｈａｄｏｗ  ＢｏｘＴＭトリムは、道具またはアタッチメント機構なしで、除去し照明器具に取り付けることができる。１つのＳｈａｄｏｗ  ＢｏｘＴＭトリムは、別のＳｈａｄｏｗ  ＢｏｘＴＭトリムと容易に入れ替えられる。Ｓｈａｄｏｗ  ＢｏｘＴＭトリムは、種々の材料、色、質感、デザイン、および他の特性から成ることができる、装飾トリムを提供する。Ｓｈａｄｏｗ  ＢｏｘＴＭトリムは、企業ロゴ、あるいは他のブランド設定または宣伝デザインと共に製造することができ、企業デザインに限定されない。例えば、グラフィックデザイン、動物の画像、機器、方向性等は、Ｓｈａｄｏｗ  ＢｏｘＴＭトリムとの使用に適合し得る。Ｓｈａｄｏｗ  ＢｏｘＴＭトリムは、Ｔ型格子上方に持ち上げることなく、除去および交換するために、回転し所定の位置に置くことができる。
【００８６】
Ｓｈａｄｏｗ  ＢｏｘＴＭトリムはまた、間接照明装置用の手段を提供することができる。さらに、Ｓｈａｄｏｗ  ＢｏｘＴＭトリムは、隙間のない天井または壁上に照明器具を配置するように、天井取付装置と共に使用することができる。
【００８７】
したがって、Ｓｈａｄｏｗ  ＢｏｘＴＭトリムは、いかなる色、質感、材料、または他の特性から成ることができる。限定するものではないが、より具体的には、Ｓｈａｄｏｗ  ＢｏｘＴＭトリムは、簡素で、デザインを持ち、動物、人、数字、またはいずれの他の項目の絵を持ち、ロゴを持ち、特定のブランド設定を持ち、または宣伝を伝達することができ、全ては単純にデザインと称される。Ｓｈａｄｏｗ  ＢｏｘＴＭトリムにより、その中のデザインを照らすことができる。Ｓｈａｄｏｗ  ＢｏｘＴＭトリムにおけるデザインの照明は、照明器具と関連付けられるランプによって提供することができる。また、Ｓｈａｄｏｗ  ＢｏｘＴＭトリムのデザインは、代替光源によって照らすことができる。このような代替光源の例は、限定するものではないが、ＬＥＤ、レーザ、冷陰極デバイス、ＣＦＬ等である。Ｓｈａｄｏｗ  ＢｏｘＴＭトリムのデザインは、異なる色で表示することができる。デザインの彩色は、色付きマイラーフィルム、色付きＬＥＤ、プリズム等を使用することによって、達成することができる。Ｓｈａｄｏｗ  ＢｏｘＴＭトリムは、トリムを容易に枢動、除去、および交換するように、着脱が容易なヒンジタブを有する。
【００８８】
方法
本開示の一実施形態は、殺菌挿入部を有する照明器具を設置する方法である。隙間が周囲によって画定される、天井、壁、またはボックスの中の隙間に、本開示によって実践される通りの照明器具を設置する方法は、設置装置を隙間の周囲と係合するステップと、設置装置と垂下関係で器具を係合するステップと、電源を器具に接続するステップと、器具が隙間の周囲と共に作動または機能するまで、垂れ下がっている器具を回転させるステップと、隙間の周囲と同一平面または作動関係に器具を固定するステップと、器具を明るくするために器具に電力を提供するステップとを含む。
【００８９】
本開示の別の実施形態は、モジュール式殺菌挿入部を変える方法である。照明器具が枢動関係で設置装置と係合される、本開示によって実践される通りの照明器具の中のモジュール式殺菌挿入部を変える方法は、器具と設置装置との間でラッチ機構を係脱し、そのラッチ機構が器具を設置装置に可撤的に固定するステップと、モジュール式殺菌挿入部が暴露され、器具が設置装置の一部分から垂れ下がるように、設置装置から離れて器具を枢動させるステップと、器具から旧式のモジュール式殺菌挿入部を除去するステップと、器具上に新しいモジュール式殺菌挿入部を係合するステップと、設置装置との係合のために器具を枢動させるステップと、器具を設置装置に固定するためにラッチ機構を係合するステップとを含む。
【００９０】
本開示の別の実施形態は、照明器具の中のランプを変える方法である。照明器具がトリム部材によって枢動関係で係合される、本開示によって実践される通りの、照明器具の中のランプを変える方法は、器具とトリム部材との間でラッチ機構を係脱し、そのラッチ機構が、トリム部材を器具に可撤的に固定するステップと、器具の空洞中のランプが暴露され、トリム部材が器具の一部分から垂れ下がるように、器具から離れてトリム部材を枢動させるステップと、旧式のランプを空洞から除去するステップと、いずれの他のランプまたは構成要素を移動させることなく、器具の空洞中に新しいランプを係合するステップと、空洞中にランプを固定するためにトリム部材を枢動させるステップと、トリム部材を器具に固定するためにラッチ機構を係合するステップとを含む。
【００９１】
本開示のまた別の実施形態は、バラストを変える方法である。照明器具が枢動関係で設置装置と係合される、本開示によって実践される通りの、照明器具の中のバラストを変える方法は、器具と設置装置との間でラッチ機構を係脱し、そのラッチ機構が器具を設置装置に可撤的に固定するステップと、バラストカバーが暴露され、器具が設置装置の一部分から垂れ下がるように、設置装置から離れて器具を枢動させるステップと、器具からバラストカバーおよび旧式のバラストを除去するステップと、器具上に新しいバラストおよびバラストカバーを係合するステップと、設置装置との係合のために器具を枢動させるステップと、器具を設置装置に固定するためにラッチ機構を係合するステップとを含む。
【００９２】
本開示のまたなおも別の実施形態は、器具に対してトゥームストーンホルダの場所を変える方法である。本開示によって実践される通り、器具に対してトゥームストーンホルダの場所を変える方法は、トゥームストーンホルダにアクセスするステップと、器具のハウジングからトゥームストーンホルダを放出するステップと、トゥームストーンホルダを別の場所に再配置するステップと、新しい場所でトゥームストーンホルダを器具のハウジングに固定するステップとを含む。
【００９３】
本開示のなおも別の実施形態は、照明器具付きのＳｈａｄｏｗ  ＢｏｘＴＭトリムまたはトリム部材を使用する方法である。照明器具がトリム部材によって枢動関係で係合される、本開示によって実践される通りの、照明器具付きのＳｈａｄｏｗ  ＢｏｘＴＭトリムまたはトリム部材を使用する方法は、器具とトリム部材との間でラッチ機構を係脱し、そのラッチ機構が、トリム部材を器具に可撤的に固定するステップと、トリム部材が器具の一部分から垂れ下がるように、器具から離れてトリム部材を枢動させるステップと、トリム部材を器具から除去するステップと、新しいトリム部材を器具と係合するステップと、器具を可撤的に係合するためにトリム部材を枢動させるステップと、トリム部材を器具に固定するためにラッチ機構を係合するステップとを含む。
【００９４】
本開示のまた別の実施形態は、Ｔ型格子の中に設置装置を設置する方法である。本開示によって実践される通り、Ｔ型格子の中に設置装置を設置する方法は、Ｔ型格子の第１の横側面と一致して第１の横部材を係合するステップと、Ｔ型格子の第２の横側面と一致して第２の横部材を係合するステップと、Ｔ型格子の第１の縦側面と一致して第１の縦部材を係合するステップと、第１の横部材および第１の縦部材を連動させるステップと、第２の横部材および第１の縦部材を連動させるステップと、Ｔ型格子の第２の縦側面と一致して第２の縦部材を係合するステップと、第１の横部材および第２の縦部材を連動させるステップと、横部材および縦部材が設置装置を画定するように、第２の横部材および第２の縦部材を連動させるステップとを含む。
【００９５】
本開示の別の実施形態は、ランプ構成またはランプ数量を変える方法であり、トゥームストーンホルダにアクセスするステップと、トゥームストーンホルダを器具のハウジングから放出するステップと、新しいトゥームストーンホルダを所望の数のトゥームストーンと係合するステップと、新しいトゥームストーンホルダを器具のハウジングに固定するステップとを含む。
【００９６】
本開示のまた別の実施形態は、隙間が周囲によって画定される、天井、壁、またはボックスの隙間の中への移動のために、本開示によって実践される通り、照明器具延在部を使用する方法であり、トリム部材を器具から除去するステップと、設置装置から器具と設置装置との間のラッチ機構を介して器具を係脱するステップと、既存の金物類を除去するステップと、金物類を延在部上へと置き換えるステップと、器具への延在部を正しい対応位置に取り付けるステップと、末端延在部をエンドプレートに追加するステップと、器具と設置装置との間のラッチ機構を介して設置装置の中への係合のために器具を置き換えるステップと、トリム部材を置き換え、定位置に係止するステップとを含む。
【００９７】
本開示のまたなおも別の実施形態は、隙間が周囲によって画定される、天井、壁、またはボックスの隙間の中への移動のために、本開示によって実践される通り、設置装置延在部を使用する方法であり、器具を設置装置から除去するステップと、設置装置を開口部から除去し、延在部要素を設置装置に取り付けるステップと、天井または壁の空洞中に設置装置を置き換えるステップと、器具を置き換え、器具と設置装置との間のラッチ機構を介して設置装置の中に係合するステップとを含む。
【００９８】
本開示のなおも別の実施形態は、間接光を向けるために、本開示によって実践される通り、照明器具を適合させる方法であり、トリム部材を除去するステップと、ランプを除去するステップと、器具を設置装置から下げるステップと、電子機器を除去するステップと、新しい電子機器を追加するステップと、器具を設置装置の中に戻して回転させるステップと、器具を設置装置の中に固定するステップと、間接反射シールドを設置するステップと、ランプを追加するステップと、間接装置をトリム部材に取り付けるステップと、トリム部材を器具に取り付けるステップと、トリム部材を器具の中で回転させ、定位置に固定するステップとを含む。
【００９９】
本開示のまたなおも別の実施形態は、本開示によって実践される通り、照明器具付きの設置装置を使用する方法である。隙間が周囲によって画定される、天井、壁、またはボックスの隙間の中に置き換えるために、本開示によって実践される通り、照明器具付きの設置装置を使用する方法は、既存の器具を押し上げるステップと、設置装置を隙間の周囲と係合するステップと、既存の器具が器具および設置装置の上方にあるように、設置装置と枢動可能な垂下関係で器具を係合するステップと、器具が隙間の周囲と共に作動するまで、垂れ下がっている器具を回転させるステップと、隙間の周囲と同一平面または作動関係に器具を固定するステップと、器具を明るくするために器具に電力を提供するステップとを含む。
【０１００】
本開示のまた別の特徴は、開口部の周囲をトリム部材の中に係合する設置装置を有する、間接光を提供するための照明器具システムを提供することであり、間接照明カバー／機構は、直接照明構成を間接光構成へと変更するために、専門の道具または技術を有する労働力の援助なしで取り付けることができる。
【０１０１】
本開示のまたなおも別の特徴は、専門の道具または技術を有する労働力の援助なしで、電気構成要素を直接照明システムから間接照明システムへと変更する設置装置を有する、照明器具システムを提供することである。
【０１０２】
さらなる利点及び変形が、当業者には容易に生じるであろう。それゆえ、そのより広い側面における本開示は、特定の詳細、代表的な装置、および本明細書に示し記載する例示的実施例に限定されない。したがって、開示する一般的な発明概念の精神または範囲から逸脱することなく、詳細から新たな試みが生み出される場合がある。
【０１０３】
明細書の一部に組み込まれ、構成する添付の図面は、本開示の好ましい実施形態を図示し、上記の本開示の全般的な説明および下記の好ましい実施形態の詳細な説明と共に、本開示の原理を説明する働きをする。
【図面の簡単な説明】
【０１０４】
【図１】図１は、器具／反射板から枢動され、器具／反射板に対して９０度の角度で配置されるＳｈａｄｏｗ  ＢｏｘＴＭトリムを伴う、本開示の照明器具装置の好ましい実施形態の斜視図を示す。
【図２】図２は、Ｔ格子と係合される設置装置から枢動され、設置装置に対して９０度の角度で配置される器具／反射板を伴う、本開示の照明器具装置の好ましい実施形態の斜視図を示す。
【図３】図３は、器具／反射板、Ｓｈａｄｏｗ  ＢｏｘＴＭトリム、および設置装置を示す、本開示の照明器具装置の好ましい実施形態の斜視図を示す。
【図４】図４は、本開示の照明器具装置と関連付けられる、ハウジングの好ましい実施形態の斜視図を示す。
【図５】図５は、本開示の照明器具装置と関連付けられる、ハウジングの好ましい実施形態の背面の平面図を示す。
【図５Ａ】図５Ａは、本開示の照明器具装置と関連付けられる、ハウジングの別の好ましい実施形態の背面の平面図を示す。
【図６】図６は、本開示の照明器具装置と関連付けられる、ハウジングの好ましい実施形態の端面図を示す。
【図６Ａ】図６Ａは、本開示の照明器具装置と関連付けられる、ハウジングの別の好ましい実施形態の端面図を示す。
【図７】図７は、本開示の照明器具装置と関連付けられる、Ｓｈａｄｏｗ  ＢｏｘＴＭトリムの好ましい実施形態の平面図を示す。
【図８】図８は、本開示の照明器具装置と関連付けられる、ラッチ機構の好ましい実施形態の斜視図を示す。
【図９】図９は、本開示の照明器具装置と関連付けられる、ラッチ機構の別の好ましい実施形態の斜視図を示す。
【図１０】図１０は、本開示の照明器具装置と関連付けられる、バラストカバーの好ましい実施形態の斜視図を示す。
【図１１】図１１は、バラストカバーから熱の排出を提供する、本開示の照明器具装置と関連付けられる、バラストカバーの好ましい実施形態の斜視図を示す。
【図１２】図１２は、Ｓｈａｄｏｗ  ＢｏｘＴＭトリムによるロゴの販促使用を示す、下方から見られるようにＴ型格子と係合される、本開示の照明器具装置の好ましい実施形態の斜視図を示す。
【図１３】図１３は、Ｓｈａｄｏｗ  ＢｏｘＴＭトリムによるデザインの販促使用を図示する、下方から見られるようにＴ型格子と係合される、本開示の照明器具装置の好ましい実施形態の斜視図を示す。
【図１４】図１４は、本開示によって実践される通り、照明器具を設置する方法の好ましい実施形態を図示するフローチャートを示す。
【図１５】図１５は、本開示によって実践される通り、ランプを変える方法の好ましい実施形態を図示するフローチャートを示す。
【図１６】図１６は、本開示によって実践される通り、バラストを変える方法の好ましい実施形態を図示するフローチャートを示す。
【図１７】図１７は、本開示によって実践される通り、器具に対してトゥームストーンホルダの場所を変える方法の好ましい実施形態を図示するフローチャートを示す。
【図１８】図１８は、本開示によって実践される通り、照明器具付きのＳｈａｄｏｗ  ＢｏｘＴＭを使用する方法の好ましい実施形態を図示するフローチャートを示す。
【図１９】図１９は、本開示によって実践される通り、設置装置を設置する方法の好ましい実施形態を図示するフローチャートを示す。
【図２０】図２０は、本開示によって実践される通り、ランプ構成またはランプ数量を変える方法の好ましい実施形態を図示するフローチャートを示す。
【図２１】図２１は、本開示によって実践される通り、ランプタイプを変える方法の好ましい実施形態を図示するフローチャートを示す。
【図２２】図２２は、本開示によって実践される通り、照明器具延在部を使用する方法の好ましい実施形態を図示するフローチャートを示す。
【図２３】図２３は、本開示によって実践される通り、設置装置延在部を使用する方法の好ましい実施形態を図示するフローチャートを示す。
【図２４】図２４は、間接光を向けるために、本開示によって実践される通り、照明器具を適合させる方法の好ましい実施形態を図示するフローチャートを示す。
【図２５Ａ】図２５Ａは、本開示の照明器具装置と共に使用するための、間接照明トリムの好ましい実施形態の斜視図を示す。
【図２５Ｂ】図２５Ｂは、本開示の照明器具装置と共に使用するための、間接照明トリムの好ましい実施形態の斜視図を示す。
【図２５Ｃ】図２５Ｃは、本開示の照明器具装置と共に使用するための、間接照明トリムの好ましい実施形態の斜視図を示す。
【図２５Ｄ】図２５Ｄは、本開示の照明器具装置と共に使用するための、間接照明トリムの好ましい実施形態の斜視図を示す。
【図２６】図２６は、本開示のバラストレールの好ましい実施形態の斜視図を示す。
【図２７】図２７は、図２６に図示する通りの、本開示のバラストレールの好ましい実施形態の端面図を示す。
【図２８】図２８は、図２６に図示する通りの、本開示のバラストレールの好ましい実施形態の縦断図を示す。
【図２９】図２９は、コレットと係合された、図２６に図示する通りの、本開示のバラストレールの好ましい実施形態の平面図を示す。
【図３０】図３０は、図２９に示す通りの、本開示のコレットの好ましい実施形態の平面図を示す。
【図３１】図３１は、本開示のラッチバーの好ましい実施形態の斜視図を示す。
【図３１Ａ】図３１Ａは、図３１に図示する通りの、本開示のラッチバーの好ましい実施形態の縦断図を示す。
【図３１Ｂ】図３１Ｂは、図３１Ａに示す通りの、本開示のラッチバーの好ましい実施形態の詳細図を示す。
【図３１Ｃ】図３１Ｃは、図３１に図示する通りの、本開示のラッチバーの好ましい実施形態の縦破断図を示す。
【図３１Ｄ】図３１Ｄは、図３１Ａに図示する通りの、本開示のラッチバーのラッチの好ましい実施形態の詳細図を示す。
【図３１Ｅ】図３１Ｅは、図３１Ａに図示する通りの、本開示のラッチバーのラッチの好ましい実施形態の詳細図を示す。
【図３２Ａ】図３２Ａは、本開示のレンズ受取ガイドの好ましい実施形態の斜視図を示す。
【図３２Ｂ】図３２Ｂは、図３２Ａに図示する通りの、本開示のレンズ受取ガイドの好ましい実施形態の立面図を示す。
【図３２Ｃ】図３２Ｃは、図３２Ａに図示する通りの、本開示のレンズ受取ガイドの好ましい実施形態の平面図を示す。
【図３３Ａ】図３３Ａは、本開示のレンズクリップの好ましい実施形態の斜視図を示す。
【図３３Ｂ】図３３Ｂは、図３３Ａに図示する通りの、本開示のレンズクリップの好ましい実施形態の立面図を示す。
【図３４】図３４は、本開示のＵＶ殺菌モジュール式挿入部の好ましい実施形態の斜視図を示す。
【図３５】図３５は、本開示のＵＶ殺菌モジュール式挿入部の別の好ましい実施形態の斜視図を示す。
【図３６】図３６は、チャンバ、バッフル、ＵＶ光源、ＵＶランプ感知デバイス、吸気口、および排出口を図示する、本開示のＵＶ殺菌モジュール式挿入部の好ましい実施形態の断面図を示す。
【図３７】図３７は、チャンバ、バッフル、ＵＶ光源、ＵＶランプ感知デバイス、吸気口、排出口、ファン、カバー板、ファングリル、排気口、排気グリル、および電力用自動切断スイッチを図示する、本開示のＵＶ殺菌モジュール式挿入部の好ましい実施形態の断面図を示す。
【図３８】図３８は、殺菌効率を図示する、ナノメートル単位の波長に対する、パーセント単位の相対強度のグラフを示す。
【図３９】図３９は、殺菌性の物質に関係するＤＮＡへのＵＶ光の前後の効果の図を示す。
【図４０】図４０は、蛍光灯器具と共に使用するために適合した、本開示のＵＶ殺菌モジュール式追加ボックスの別の好ましい実施形態の斜視図を示す。
【図４１】図４１は、図４０に図示する通りの、本開示のＵＶ殺菌モジュール式追加ボックスの好ましい実施形態の斜視図を示す。
【図４２】図４２は、図４０および４１に図示する通りの、本開示のＵＶ殺菌モジュール式追加ボックスの好ましい実施形態の立面図を示す。
【図４３】図４３は、蛍光灯器具と共に使用するために適合した、本開示のＵＶ殺菌モジュール式アタッチメントの別の好ましい実施形態の斜視図を示す。
【図４４】図４４は、図４３に図示する通りの、本開示のＵＶ殺菌モジュール式アタッチメントの好ましい実施形態の上面断面図を示す。
【図４５】図４５は、図４３および４４に図示する通りの、本開示のＵＶ殺菌モジュール式アタッチメントの斜視図を示す。
【図４６】図４６は、図４３、４４、および４５に図示する通りの、本開示のＵＶ殺菌モジュール式アタッチメントの端面図を示す。
【発明を実施するための形態】
【０１０５】
さらなる利点及び変形が、当業者には容易に生じるであろう。それゆえ、そのより広い側面における本開示は、特定の詳細、代表的な装置、および本明細書に示し記載する例示的実施例に限定されない。したがって、開示する一般的な発明概念の精神または範囲から逸脱することなく、詳細から新しい試みが生み出される場合がある。
【０１０６】
上の全般的な説明および続く詳細な説明は、単に一般的な開示の説明であり、本開示のさらなるモード、利点、および詳細は、本開示の精神および範囲から逸脱することなく、当業者へ容易に示唆されるであろう。
【０１０７】
図１は、器具／反射板２００から枢動され、器具／反射板２００に対して９０度の角度で配置されるＳｈａｄｏｗ  ＢｏｘＴＭトリム３００を伴う、本開示の照明器具装置１００の好ましい実施形態の斜視図である。器具／反射板２００およびＳｈａｄｏｗ  ＢｏｘＴＭトリム３００は、着脱可能な関係だけでなく枢動関係をも有する。したがって、Ｓｈａｄｏｗ  ＢｏｘＴＭトリム３００は、器具／反射板２００から完全に除去することができるか、またはＳｈａｄｏｗ  ＢｏｘＴＭトリム３００は、器具／反射板２００と枢動関係にあることができるかのいずれかである。
【０１０８】
器具／反射板２００は、基部２０２、エンドプレート２０４、ランプホルダカバー２０６、バラストカバー２０８、器具放出機構２１０、および器具／反射板２００用の枢動部材２１２を備える。基部２０２は、凸面２０２Ａおよび凹面２０２Ｂを有する。エンドプレート２０４は、外面２０４Ａおよび内面２０４Ｂを有する。基部２０２の凹面２０２Ｂおよびエンドプレート２０４の内面２０４Ｂは、空洞２０３を形成する。空洞２０３は、１つ以上のランプ１２を受け入れる。ランプは、複数のランプホルダまたはトゥームストーン２０５によって定位置に担持される。
【０１０９】
Ｓｈａｄｏｗ  ＢｏｘＴＭトリム３００は、周囲構造３１０、枢動部材３１２、表示面３１４、係合機構３２０、およびレンズ３３０を備える。Ｓｈａｄｏｗ  ＢｏｘＴＭトリム３００の枢動部材３１２は、Ｓｈａｄｏｗ  ＢｏｘＴＭトリム３００が器具／反射板２００の周囲の周りを枢動するように、器具／反射板２００の基部２０２の周囲を可撤的に係合する。図１では、Ｓｈａｄｏｗ  ＢｏｘＴＭトリム３００は、器具／反射板２００と開放枢動する関係にあり、器具／反射板２００に対して９０度の角度で配置されるように図示される。Ｓｈａｄｏｗ  ＢｏｘＴＭトリム３００が、器具／反射板２００と閉鎖枢動関係にあるように、枢動部材３１２の周りを移動することができることは、容易に理解することができる。Ｓｈａｄｏｗ  ＢｏｘＴＭトリム３００は、放出機構２２０と相互作用する係合機構３２０によって、器具／反射板２００と閉鎖枢動する関係に担持される。
【０１１０】
図２は、Ｔ型格子１０と係合される設置装置４００から枢動され、設置装置４００に対して９０度の角度で配置される器具／反射板２００を伴う、本開示の照明器具装置１００の好ましい実施形態の斜視図である。器具／反射板２００および設置装置４００は、着脱可能な関係だけでなく枢動関係をも有する。したがって、器具／反射板２００は、設置装置４００から完全に除去することができるか、または器具／反射板２００は、設置装置４００と枢動関係にあることができるかのいずれかである。
【０１１１】
図２に図示する器具／反射板２００は、凹側面２０２Ａを示す。器具／反射板２００は、ランプホルダカバー２０６、トゥームストーンホルダ２０７、バラスト２０、電源からバラストへのコネクタ２６０、バラストからトゥームストーンへのコネクタ２７０、基部２０２の凸面２０２Ａ、バラストカバー２０８、およびバラストカバー２０８の中の換気格子２０９を伴い図示される。
【０１１２】
Ｔ型格子１０と係合される設置装置４００が示される。設置装置４００は、横部材４１０Ａ、４１０Ｂ、および縦部材４３０Ａ、４３０Ｂ（後者は図示せず）を含む。Ｔ型格子１０の縦部分を係合する、設置装置４００の縦部材４３０Ａ、４３０Ｂが図示される。縦部材４３０Ａ、４３０Ｂは、好ましくは、例えばＵ字形金属といった、角のある材料から成る。特に、図２に示す縦部材４３０Ａは、Ｔ型格子１０を係合するより小さい側面、およびＴ型格子１０から遠隔にある他方のより小さい側面を伴う、その凹側面を図示する。縦部材４３０Ａ、４３０Ｂは、１つ以上の延在部（図示せず）等、横部材４１０、４１０Ｂを可撤的に係合するために、遠隔端部から１つ以上の延在部を有してもよい。縦部材４３０Ａ、４３０Ｂから突出する延在部は、横部材４１０Ａ、４１０Ｂ、および縦部材４３０Ａ、４３０Ｂの移動を係止するために、戻り止め（図示せず）を端部の場所４２２に形成するよう、それぞれの横部材４１０Ａ、４１０Ｂの中に受け入れられるように構成することができる。また、戻り止めから遠隔にある端部は、横部材４１０Ａ、４１０Ｂ、および縦部材４３０Ａ、４３０Ｂの中に図示する穴４１２中のねじの使用によって、またはいずれかの他の従来の固定機構によって、Ｔ型格子１０に固定されてもよい。
【０１１３】
重要なのは、設置装置４００に対する、器具／反射板２００のチャネルロック機能である。器具／反射板２００は、その周囲の１つの側面から延在する、枢動部材２１２を有する。枢動部材２１２は、その両方の先端に、枢動部材２１２の主要部分より大きな半径寸法を有する、拡張部分を有する。設置装置４００は、各横部材４１０Ａ、４１０Ｂの中に、１つ以上のスロット４１４を有する。スロット４１４は、より大型部分４１４Ａおよびより小型部分４１４Ｂを有する。より大型部分４１４Ａは、枢動部材２１２の拡張部分を通ってそこで受容するためのものである。枢動部材２１２が、横部材４１０Ａ、４１０Ｂのより大型部分４１４Ａからより小型部分４１４Ｂの中へ押し込まれると、枢動部材２１２は、枢動部材２１２の拡張部分が横部材４１０Ａ、４１０Ｂの１つの側面上にくるように、横部材４１０Ａ、４１０Ｂのより小型部分４１４Ｂの中に固定され、器具／反射板２００を伴う枢動部材２１２の主要部分は、器具／反射板２００が枢動部材２１２によって包囲されるように、横部材４１０Ａ、４１０Ｂの他方の側面上にくる。また、スロット４１４の代わりに使用することができる、代替のスロット４１５が図示される。代替手段が、本開示のチャネルロック機能と同じ機能を行うように利用可能であるか、または利用可能であり得、このような代替手段が本開示によって網羅されることは、当業者によって理解され得る。
【０１１４】
また、器具／反射板２００が表面４２０上のＴ型格子１０内の定位置に担持されるように、器具放出機構２１０（図１参照）が設置装置４００と可撤的に係合されるよう、枢動部材２１２の周りを器具／反射板２００が枢動することも重要である。
【０１１５】
図３は、器具／反射板２００、Ｓｈａｄｏｗ  ＢｏｘＴＭトリム３００、および設置装置４００を示す、本開示の照明器具装置１００の好ましい実施形態の斜視図である。設置装置４００は、横部材４１０および縦部材４３０と共に図示される。Ｓｈａｄｏｗ  ＢｏｘＴＭトリム３００は、周囲構造３１０および表示面３１４と共に図示される。器具／反射板２００は、基部２０２、エンドプレート２０４、ランプホルダカバー２０６、バラストカバー２０８、およびロックバー組立部２２０を含む。基部２０２は、複数のトゥームストーン調整スロット２３２および１つ以上のバラストスロット２３４を有する。トゥームストーン調整スロット２３２は、照明器具装置１００と共に使用されるランプの長さによって、使用されるランプ長に対応するトゥームストーン調整スロット２３２を不能にすることができるように、ノックアウトの形態で提供される。したがって、いかなるランプ長またはその組み合わせも、本開示の照明器具装置１００と共に使用することができることは、当業者によって理解される。同様に、バラスト調整スロット２３４は、バラスト固定器具（図５参照）およびバラストクリップ（図示せず）と共に使用するために提供される。バラスト固定器具により、突起部分を有する従来のバラストを、バラストの１つの端部を固定するために、バラスト固定器具の下に滑らせることができる。バラストクリップは、サイズおよび形状にかかわらず、バラスト固定器具、基部２０２、およびバラストクリップの間で、バラストを固定するためにバラスト調整スロット２３４およびバラストを摺動自在に係合する。バラストカバー２０８は、換気格子２０９を有する。
【０１１６】
図４は、本開示の照明器具装置１００と関連付けられる、ハウジングまたは基部２０２の好ましい実施形態の斜視図である。図４は、いかなるランプおよびいかなるバラストとも共に使用するために適合する、本開示の照明器具装置１００の能力を図示する。いかなるランプも適合させる能力は、いかなる場所でもランプを担持するトゥームストーン２０５（図１参照）を位置させ、長さまたは半径にかかわらず、いかなる寸法のランプも受け入れるための能力に由来する。トゥームストーン調整スロット２３２Ａ、２３２ＡＡは、トゥームストーンを最大距離分離して担持し、示す基部２０２に対して最大の長さのランプを受け入れるために提供される。中間トゥームストーン調整スロット２３２Ｂ、２３２ＢＢは、トゥームストーンを中間距離離して担持し、示す基部２０２に対して中間の長さのランプを受け入れるために提供される。トゥームストーン調整スロット２３２Ｃ、２３２ＣＣは、トゥームストーンを最小距離離して担持し、示す基部２０２に対して最小の長さのランプを受け入れるために提供される。トゥームストーン調整スロット２３２が、基部２０２の幅に及ぶため、トゥームストーン２０５は、各遠隔組のトゥームストーン２０５と関連付けられるランプを伴い、基部２０２に渡っていずれの数でも配置することができる。本開示の照明器具装置１００で使用するために適合することができる、ランプの数に関する限定要因は、全てのランプの直径の合計が、それぞれのトゥームストーン調整スロット２３２の長さより短いことである。バラスト調整スロット２３４は、トゥームストーン調整スロット２３２と類似の手法で作動するように、凸面２０２Ａの中に図示される。
【０１１７】
図５は、図４に図示する通り、本開示の照明器具装置１００と関連付けられるハウジング２０２の凹面２０２Ｂの好ましい実施形態平面図である。最大長のランプおよび最小長のランプ用のトゥームストーン調整スロット２３２Ａ、２３２ＡＡ、２３２Ｃ、２３２ＣＣは、ノックアウトとして図示される。中間長さのランプ用のトゥームストーン調整スロット２３２Ｂ、２３２ＢＢは図２に図示する通り、トゥームストーンホルダ２０７によって固定される、トゥームストーン２０５を受け入れる準備の整ったスロットとして図示される。バラスト調整スロット２３４は、バラスト固定器具（バラスト調整スロット２３４と一致する）およびバラストクリップ（図示せず）と共に使用するために提供される。バラスト固定器具により、突起部分を有する従来のバラストを、バラストの１つの端部を固定するために、バラスト固定器具の下に滑らせることができる。バラストクリップは、サイズおよび形状にかかわらず、バラスト固定器具、基部２０２、およびバラストクリップの間で、バラストを固定するためにバラスト調整スロット２３４およびバラストを摺動自在に係合する。当業者によって理解される通り、バラストクリップは、バラスト固定器具、基部２０２、およびバラストクリップとバラストとの可撤性係合をもたらす、いかなる構成でもあることができる。
【０１１８】
図６は、本開示の照明器具装置１００と関連付けられる、ハウジング２０２の好ましい実施形態の端面図である。ハウジング２０２は、ハウジング２０２の凹部分２０２Ｂと共に、ハウジング２０２の凸部分２０２Ａを眺めるように図示される。図６に図示する先端は、可能な放出機構をより良く図示するように、図８および９に図示する。
【０１１９】
図５Ａは、本開示の照明器具装置と関連付けられる、ハウジング１２０２の別の好ましい実施形態の背面の平面図である。ハウジング１２０２は、凹部分１２０２Ｂ、第１の角部分１２０３、第２の角部分１２０５、第３の角部分１２０７、プレーナ部分１２０９、および平坦部分１２１１を備える。凹部分１２０２Ｂは、その中に複数のトゥームストーン調整スロット１２３２Ａ、１２３２ＡＡ、１２３２Ｂ、１２３２ＢＢ、１２３２Ｃ、１２３２ＣＣを有する。プレーナ部分１２０９は、１つ以上のノックアウト１２４１を備える。また、プレーナ部分１２０９は、係合要素用の係合および／または枢動点である、１つ以上のＴ形隙間１２４３を備える。さらに、プレーナ部分１２０９は１つ以上の隙間１２４５を備える。
【０１２０】
図６Ａは、本開示の照明器具装置と関連付けられる、ハウジング１２０２の別の好ましい実施形態の端面図である。ハウジング１２０２は、凹部分１２０２Ｂ、凸部分１２０２Ａ、第１の角部分１２０３、第２の角部分１２０５、第３の角部分１２０７、プレーナ部分１２０９、および平坦部分１２１１を備える。
【０１２１】
図７は、本開示の照明器具装置１００と関連付けられる、Ｓｈａｄｏｗ  ＢｏｘＴＭトリム３００の好ましい実施形態の平面図である。Ｓｈａｄｏｗ  ＢｏｘＴＭトリム３００は、周囲構造３１０、表示面３１４、光開口部３３０Ａ、枢動部材３１２Ａ、および係合機構３２０を備える。
【０１２２】
Ｓｈａｄｏｗ  ＢｏｘＴＭトリム３００は、道具またはアタッチメント機構なしで、除去し照明器具１００に取り付けることができる。いずれのＳｈａｄｏｗ  ＢｏｘＴＭトリム３００も、別のＳｈａｄｏｗ  ＢｏｘＴＭトリム３００と容易に入れ替えられる。Ｓｈａｄｏｗ  ＢｏｘＴＭトリム３００は、企業ロゴ、あるいは他のブランド設定または宣伝デザインを描写するように、種々の材料、色、質感、およびデザインから成ることができる、装飾トリムを提供する。Ｓｈａｄｏｗ  ＢｏｘＴＭトリム３００は、必要ではないが、Ｔ型格子の上方に持ち上げられることなく除去および交換するために、回転し所定の位置に置かれてもよい。Ｓｈａｄｏｗ  ＢｏｘＴＭトリム３００はまた、間接照明装置用の手段を提供することができる。さらに、Ｓｈａｄｏｗ  ＢｏｘＴＭトリム３００は、いかなる器具との使用にも適合することができる。
【０１２３】
より具体的には、限定するものではないが、Ｓｈａｄｏｗ  ＢｏｘＴＭトリム３００は、簡素で、デザインを持ち、絵を持ち、ロゴを持ち、特定のブランド設定を持ち、または宣伝を伝達することができ、全ては単純にデザインと称される。Ｓｈａｄｏｗ  ＢｏｘＴＭトリム３００により、その中のデザインを照らすことができる。Ｓｈａｄｏｗ  ＢｏｘＴＭトリム３００中のデザインの照明は、照明器具と関連付けられるランプによって提供することができる。また、Ｓｈａｄｏｗ  ＢｏｘＴＭトリム３００のデザインは、代替光源によって照らすことができる。このような代替光源の例は、限定するものではないが、ＬＥＤ、レーザ、冷陰極デバイス、ＣＦＬ等である。Ｓｈａｄｏｗ  ＢｏｘＴＭトリム３００のデザインは、異なる色で表示することができる。デザインの彩色は、色付きマイラーフィルム、色付きＬＥＤ、プリズム等を使用することによって、達成することができる。Ｓｈａｄｏｗ  ＢｏｘＴＭトリム３００は、Ｓｈａｄｏｗ  ＢｏｘＴＭトリム３００を容易に枢動、除去、および交換するように、着脱が容易な係合機構３２０を有する。
【０１２４】
図８は、本開示の照明器具装置１００と関連付けられる、ラッチ機構２２５の好ましい実施形態の斜視図である。
【０１２５】
図９は、本開示の照明器具装置１００と関連付けられる、ラッチ機構２２６の別の好ましい実施形態の斜視図である。
【０１２６】
図１０は、本開示の照明器具装置１００と関連付けられる、バラストカバー２０８の好ましい実施形態の斜視図である。バラストカバー２０８は、いかなるサイズのバラストも覆うことができるような、細長い部材である。バラストカバー２０８は、ランプホルダ２０６用のトゥームストーンホルダカバーを受け入れるための、開口ノックアウト２０８Ａを有する。さらに、バラストカバー２０８は、ランプホルダ２０６用のトゥームストーンホルダカバーを使用不可にし、その後受け入れるのに使用することができる、閉口ノックアウト２０８Ｂを有する。通常、バラストカバー２０８の端部は閉じている。また、バラストカバー２０８は、遠隔電源から電力を受け入れるために、開口ノックアウト２０８Ａ間に開口部を有する。
【０１２７】
図１１は、換気格子２０９によるバラストカバー２０８からの熱の排出を提供する、本開示の照明器具装置１００と関連付けられる、バラストカバー２０８の好ましい実施形態の斜視図である。バラストカバー２０８は、ランプホルダ２０６用のトゥームストーンホルダカバーを受け入れるための、開口ノックアウト２０８Ａを有する。さらに、バラストカバー２０８は、ランプホルダ２０６用のトゥームストーンホルダカバーを使用不可にし、その後受け入れるのに使用することができる、閉口ノックアウト２０８Ｂを有する。
【０１２８】
図１２は、Ｓｈａｄｏｗ  ＢｏｘＴＭトリム３００によるロゴ３４０の販促使用を図示する、下方から見られるようにＴ型格子１０と係合される、本開示の照明器具装置１００の好ましい実施形態の斜視図である。ロゴ３４０は、Ｓｈａｄｏｗ  ＢｏｘＴＭトリム３００の表示面３１４の中にある。ロゴ３４０は、器具／反射板２００の中のランプによって明るくすることができるか、または代替として、照明器具装置１００中のランプの電源が入っていない時に、ロゴ３４０が照らされたままであるように、補助手段によって明るくすることができる。
【０１２９】
図１３は、Ｓｈａｄｏｗ  ＢｏｘＴＭトリム３００によるデザイン３５０の販促使用を図示する、下方から見られるようにＴ型格子１０と係合される、本開示の照明器具装置１００の好ましい実施形態の斜視図である。デザイン３５０は、Ｓｈａｄｏｗ  ＢｏｘＴＭトリム３００の表示面３１４の中にある。デザイン３５０は、器具／反射板２００の中のランプによって明るくすることができるか、または代替として、照明器具装置１００中のランプの電源が入っていない時に、デザイン３５０が照らされたままであるように、補助手段によって明るくすることができる。
【０１３０】
図１４は、本開示によって実践される通り、照明器具を設置する方法の好ましい実施形態を図示するフローチャートである。隙間が周囲によって画定される、天井、壁、またはボックスの中の隙間に、本開示によって実践される通りの照明器具を設置する方法は、設置装置を隙間の周囲と係合するステップと、設置装置と垂下関係で器具を係合するステップと、電源を器具に接続するステップと、器具が隙間の周囲と共に作動するまで、垂れ下がっている器具を回転させるステップと、隙間の周囲と作動関係に器具を固定するステップと、器具を明るくするために器具に電力を提供するステップとを含む。
【０１３１】
図１５は、本開示によって実践される通り、照明器具の中のランプを変える方法の好ましい実施形態を図示するフローチャートである。照明器具がトリム部材によって枢動関係で係合される、本開示によって実践される通りの、照明器具の中のランプを変える方法は、ランプ空洞を暴露するようにトリム部材を器具から係脱させるステップと、器具の中の空洞内のランプが暴露され、トリム部材が器具の一部分から垂れ下がるように、器具から離れてトリム部材を枢動させるステップと、旧式のランプを空洞から除去するステップと、いずれの他のランプまたは構成要素を移動させることなく、空洞の中に新しいランプを係合するステップと、空洞の中にランプを固定するためにトリム部材を枢動させるステップと、トリム部材を器具に固定するためにラッチ機構を係合するステップとを含む。
【０１３２】
図１６は、本開示によって実践される通り、バラストを変える方法の好ましい実施形態を図示するフローチャートを示す。照明器具が枢動関係で設置装置と係合される、本開示によって実践される通りの照明器具の中のバラストを変える方法は、器具と設置装置との間でラッチ機構を係脱するステップと、バラスト領域を暴露するように、設置装置から離れて器具を枢動させるステップと、旧式のバラストを器具から除去するステップと、器具上に新しいバラストを係合するステップと、設置装置との係合のために器具を枢動させるステップと、器具を設置装置に固定するステップとを含む。
【０１３３】
図１７は、本開示によって実践される通り、異なる長さを有するランプを変えるために、器具に対してトゥームストーンホルダの場所を変える方法の好ましい実施形態を図示するフローチャートである。異なる長さを有するランプを変えるために、器具に対してトゥームストーンホルダの場所を変える方法は、トゥームストーンホルダにアクセスするステップと、器具のハウジングからトゥームストーンホルダを放出するステップと、トゥームストーンホルダを別の場所に再配置するステップと、新しい場所でトゥームストーンホルダを器具のハウジングに固定するステップとを含む。
【０１３４】
図１８は、本開示によって実践される通り、照明器具付きのＳｈａｄｏｗ  ＢｏｘＴＭトリムまたはトリム部材を使用する方法の好ましい実施形態を図示するフローチャートである。照明器具がトリム部材によって枢動関係で係合される、本開示によって実践される通りの、照明器具付きのＳｈａｄｏｗ  ＢｏｘＴＭトリムまたはトリム部材を使用する方法は、器具とトリム部材との間でラッチ機構を係脱し、そのラッチ機構が、トリム部材を器具に可撤的に固定するステップと、トリム部材が器具の一部分から垂れ下がるように、器具から離れてトリム部材を枢動させるステップと、トリム部材を器具から除去するステップと、新しいトリム部材を器具と係合するステップと、器具を可撤的に係合するためにトリム部材を枢動させるステップと、トリム部材を器具に固定するためにラッチ機構を係合するステップとを含む。
【０１３５】
図１９は、本開示によって実践される通り、Ｔ型格子の中に設置装置を設置する方法の好ましい実施形態を図示するフローチャートである。本開示によって実践される通り、Ｔ型格子の中に設置装置を設置する方法は、Ｔ型格子の第１の横側面と一致して第１の横部材を係合するステップと、Ｔ型格子の第２の横側面と一致して第２の横部材を係合するステップと、Ｔ型格子の第１の縦側面と一致して第１の縦部材を係合するステップと、第１の横部材および第１の縦部材を連動させるステップと、第２の横部材および第１の縦部材を連動させるステップと、Ｔ型格子の第２の縦側面と一致して第２の縦部材を係合するステップと、第１の横部材および第２の縦部材を連動させるステップと、横部材および縦部材が設置装置を画定するように、第２の横部材および第２の縦部材を連動させるステップとを含む。
【０１３６】
図２０は、本開示によって実践される通り、ランプ構成またはランプ数量を変える方法の好ましい実施形態を図示するフローチャートである。ランプ構成またはランプ数量を変える方法は、トゥームストーンホルダにアクセスするステップと、トゥームストーンホルダを器具のハウジングから放出するステップと、新しいトゥームストーンホルダを所望の数のトゥームストーンと係合するステップと、新しいトゥームストーンホルダを器具のハウジングに固定するステップとを含む。
【０１３７】
図２１は、本開示によって実践される通り、ランプタイプを変える方法の好ましい実施形態を図示するフローチャートである。ランプタイプを変更する方法は、トゥームストーンホルダにアクセスするステップと、トゥームストーンホルダを器具のハウジングから放出するステップと、既存のトゥームストーンを除去するステップと、トゥームストーンホルダの中で新しいランプタイプと共に使用するための新しいトゥームストーンを係合するステップと、トゥームストーンホルダを器具のハウジングに固定するステップとを含む。
【０１３８】
図２２は、本開示によって実践される通り、照明器具延在部を使用する方法の好ましい実施形態を図示するフローチャートである。隙間が周囲によって画定される、天井、壁、またはボックスの隙間の中への移動のために、本開示によって実践される通り、照明器具延在部を使用する方法は、トリム部材を器具から除去するステップと、設置装置から器具と設置装置との間のラッチ機構を介して器具を係脱するステップと、既存の金物類を除去するステップと、金物類を器具延在部上へと置き換えるステップと、器具延在部への器具を正しい対応位置に取り付けるステップと、エンドプレート延在部をエンドプレートに追加するステップと、器具と設置装置との間のラッチ機構を介して設置装置の中への係合のために器具を置き換えるステップと、トリム部材を置き換え、定位置に係止するステップとを含む。
【０１３９】
図２３は、本開示によって実践される通り、設置装置延在部を使用する方法の好ましい実施形態を図示するフローチャートである。隙間が周囲によって画定される、天井、壁、またはボックスの隙間の中への移動のために、本開示によって実践される通り、設置装置延在部を使用する方法は、器具を設置装置から除去するステップと、設置装置を開口部から除去し、延在部を設置装置に取り付けるステップと、天井または壁の空洞の中に設置装置を置き換えるステップと、器具を置き換え、器具と設置装置との間のラッチ機構を介して設置装置の中に係合するステップとを含む。
【０１４０】
図２４は、間接光を向けるために、本開示によって実践される通り、照明器具を適合させる方法の好ましい実施形態を図示するフローチャートである。間接光を向けるために、本開示によって実践される通り、照明器具を適合させる方法は、トリム部材を除去するステップと、ランプを除去するステップと、器具を設置装置から下げるステップと、電子機器を除去するステップと、新しい電子機器を追加するステップと、器具を設置装置の中に戻して回転させるステップと、器具を設置装置の中に固定するステップと、間接反射シールドを設置するステップと、ランプを追加するステップと、間接装置をトリム部材に取り付けるステップと、トリム部材を器具に取り付けるステップと、トリム部材を器具の中で回転させ、定位置に固定するステップとを含む。
【０１４１】
図２５Ａ、２５Ｂ、２５Ｃ、２５Ｄは、本開示の照明器具装置１００と共に使用するための、間接照明トリム５００の好ましい実施形態の斜視図である。図２５Ａ、２５Ｂ、２５Ｃ、２５Ｄは、本開示の照明器具装置１００を間接照明器具に変更するための、間接照明トリム５００を図示する。トゥームストーンホルダ延在部５１６Ａは、所望のランプ長スロット２３２Ｂ、２３２ＢＢ（図４参照）の中に挿入され、ランプ１２を器具／反射板２００（図１参照）内の所望の高さに位置付けることを可能にする。ランプホルダ２０５は、トゥームストーンホルダ延在部カバー５１６が取り付けられる前に、トゥームストーンホルダ延在部５１６Ａの中に挿入される。間接照明トリム５００は、Ｓｈａｄｏｗ  ＢｏｘＴＭトリム３００上に配置され、クリップデバイス３５２と定位置で固定される。間接反射シールド５８０は、Ｓｈａｄｏｗ  ＢｏｘＴＭトリム３００を閉じ、間接照明トリム５００を取り付ける前に、器具／反射板２００の中に挿入され、定位置に固定される。
【０１４２】
図２６は、本開示のバラストレール２２００の好ましい実施形態の斜視図である。バラストレール２２００は、平面部分２２０２、オフセット部分２２０４、縁部分２２０６、および傾斜部分２２０８を備える。平面部分２２０２は、バラストをバラストレール２２００に可撤的に固定するために、１つ以上のバラスト調整スロット２２３４Ａ、２２３４Ｂを有する。
【０１４３】
図２７は、図２６に図示する通りの、本開示のバラストレール２２００の好ましい実施形態の端面図である。バラストレール２２００は、平面部分２２０２、オフセット部分２２０４および縁部分２２０６、ならびに傾斜部分２２０８を有する。
【０１４４】
図２８は、図２６に図示する通りの、本開示のバラストレール２２００の好ましい実施形態の縦断図である。
【０１４５】
図２９は、コレットと係合された、図２６に図示する通りの、本開示のバラストレール２２００の好ましい実施形態の平面図である。バラストレール２２００は、平面部分２２０２、オフセット部分２２０４、縁部分２２０６、および傾斜部分２２０８を備える。平面部分２２０２は、バラストをバラストレール２２００に可撤的に固定するために、１つ以上のバラスト調整スロット２２３４Ａ、２２３４Ｂを有する。また、コレット２２４０は、バラストレール２２００をハウジングに固定する。図２６、２７、２８、２９、３０に図示する構成により、バラストレール２２００に取り付けられたバラストに、特別かつ強化されたヒートシンク効果を提供する。
【０１４６】
図３０は、図２９に図示する通りの、本開示のコレット２２４０の好ましい実施形態の平面図である。コレット２２４０は、平面部材２２４２、縁部分２２４６、傾斜部分２２４８、および１つ以上の隙間２２４９を備える。
【０１４７】
図３１は、本開示のラッチバー３１００の好ましい実施形態の斜視図である。ラッチバー３１００は、縦部材３１０２、ラッチ３１０４、隙間３１０６、および角部分３１０８を備える。
【０１４８】
図３１Ａは、図３１に図示する通りの、本開示のラッチバー３１００の好ましい実施形態の縦断図である。ラッチバー３１００は、角部分３１０８と共に図示される。
【０１４９】
図３１Ｂは、図３１Ａに図示する通りの、本開示のラッチバー３１００の角部分３１０８の好ましい実施形態の詳細図である。
【０１５０】
図３１Ｃは、図３１に図示する通りの、本開示のラッチバー３１００の好ましい実施形態の縦破断図である。ラッチバー３１００は、縦部材３１０２、ラッチ３１０４、隙間３１０６、および角部分３１０８と共に図示される。
【０１５１】
図３１Ｄは、図３１Ａに図示する通りの、本開示のラッチバー３１００のラッチの好ましい実施形態の詳細図である。ラッチバー３１００は、縦部材３１０２、ラッチ３１０４、隙間３１０６、および角部分３１０８と共に図示される。
【０１５２】
図３２Ａは、本開示のレンズ受取ガイド３２００の好ましい実施形態の斜視図である。レンズ受取ガイド３２００は、第１の部材３２０２、第２の部材３２０４を備え、第１の部材３２０２および第２の部材３２０４は、角３２０３によって分離される。角３２０３はレンズカバーのコーナーで角と一致し、本実施形態では９０度である。第１の部材３２０２および第２の部材３２０４は、対応する隙間３２１１、３１１１Ａ、３１１２、３１１２Ａ、３１１３、３１１３Ａを有する。各隙間３２１１、３１１１Ａ、３１１２、３１１２Ａ、３１１３、３１１３Ａはその中に突起３２２０を有する。突起３２２０は、その中にレンズクリップ３３００（図３３参照）を可撤的に固定するためのものである。
【０１５３】
図３２Ｂは、図３２Ａに図示する通りの、本開示のレンズ受取ガイド３２００の好ましい実施形態の立面図である。レンズ受取ガイド３２００は、３つの隙間３２１１、３１１２、３１１３を伴う第１の部材３２０２を有する。隙間３２１１、３１１２、３１１３の数は、レンズ受取ガイド３２００によって収容されるであろう、レンズの厚さによって決定される。図示する実施形態では、３つの隙間３２１１、３１１２、３１１３は、３つの間隙Ｇ１１、Ｇ１２、およびＧ１３の厚さを伴うレンズに対応する。
【０１５４】
図３２Ｃは、図３２Ａに図示する通りの、本開示のレンズ受取ガイド３２００の好ましい実施形態の平面図である。
【０１５５】
図３３Ａは、本開示のレンズクリップ３３００の好ましい実施形態の斜視図である。レンズクリップ３３００は、基部部材３３０２、側面部材３３０４、角度のある部材３３０６、係合部材３３０８、および押圧部材３３１０を備える。側面部材３３０４は、例えば、円形または四角といったいかなる形状でもあり得る。角度のある部材３３０６は、その中に隙間３３１２を有する。レンズクリップ３３００の角度のある部材３３０６中の隙間３３１２は、レンズクリップ３３００がレンズ受取ガイド３２００の隙間３２１１の中に係合される時、隙間３２１１の中に突起３２２０を受容するためのものである。レンズクリップ３３００は、レンズを固定するために挿入され、レンズを変えるために除去される。
【０１５６】
図３３Ｂは、図３３Ａに図示する通りの、本開示のレンズクリップの好ましい実施形態の立面図である。
【０１５７】
モジュール式殺菌挿入部
チャンバ４２００、紫外（ＵＶ）光源４３００、および空気発動機４４００を有する筺体４１００を備える、モジュール式殺菌挿入部４０００が提供される。モジュール式殺菌挿入部４０００は、照明器具１００を係合するように適合する。チャンバ４２００は、チャンバ４２００を通過する空気の混合を提供するように適合する。ＵＶ光源４３００は、例えば、バクテリア物質内でＤＮＡ過程を中断させる等、バクテリア物質を破壊するような波長で提供される。感知デバイス４５００は、適切な殺菌効果を判定するために、処理された空気を試験するのに使用することができる。自動遮断部４６００は、消費電力用に使用することができる。したがって、空気は、筺体４１００の中へ移動し、チャンバ４２００内を循環し、ＵＶ光源４３００によって照射され、妥当な殺菌効果を判定するために感知デバイス４５００によって感知され、筺体４１００に隣接する領域に放出される。
【０１５８】
図３４は、本開示のＵＶ殺菌モジュール式挿入部４０００の実施形態の斜視図である。
【０１５９】
図３５は、本開示のＵＶ殺菌モジュール式挿入部４０００の別の実施形態の斜視図である。
【０１６０】
図３６は、チャンバ４２００、バッフル４２１０、ＵＶ光源４３００、ＵＶランプ感知デバイス４５００を有する筺体４１００を図示し、筺体４１００は吸気口４１０２および出口４１０４を有する、本開示のＵＶ殺菌モジュール式挿入部４０００の実施形態の断面図である。ＵＶ反射材料４２３０は、殺菌性ＵＶ放射の強度を強化するために、バッフル４２１０の表面に取り付けられる。
【０１６１】
図３７は、チャンバ４２００、バッフル４２１０、ＵＶ光源４３００、ＵＶランプ感知デバイス４５００、吸気口４１０２、排出口４１０４、ファンまたは空気発動機４４００、カバー板４１０６、ファングリル４１０８Ａ、排気口４１０４、排気グリル４１０８Ｂ、および電力用自動切断スイッチ４１１２を有する筺体４１００を図示する、本開示のＵＶ殺菌モジュール式挿入部４０００の好ましい実施形態の断面図である。
【０１６２】
図３８は、殺菌効率または相対強度パーセントに対する、ナノメートル単位の波長を図示するグラフである。ＵＶ放射は、通常、水銀蒸気、エキシマ、およびより近年のＬＥＤランプによって、人工的に生み出される。２５３．７の殺菌波長で最も効率の良いランプの放射エネルギーが出され、スペクトルのＵＶＣ部としても知られる。図３８に見られる通り、ランプは、ＵＶＡ、ＵＶＢ、可視光（４００ｎｍを上回る波長）、および熱を含む、二次電子放出を有する。ＵＶＣ反射特性を伴う反射材料４２３０は、ＵＶ殺菌ランプのＵＶ効率を増すように使用される。本殺菌器具および挿入部と共に使用可能な、種々のタイプのＵＶＣランプがある。ランプの例には、冷陰極殺菌ＵＶランプ、熱陰極殺菌ＵＶランプ、薄型殺菌紫外線ランプ、高出力殺菌ＵＶランプ、ＵＶ発光ダイオードまたはＵＶ  ＬＥＤランプ、およびエキシマＵＶランプがある。
【０１６３】
図３９は、ＵＶ放射を使用する細菌の根絶を図示する図である。殺菌性紫外線（ＵＶＣ）は、ＤＮＡを損傷させることによって細胞を殺す。光は、ＤＮＡを形成する塩基のうちの１つである、チミンの２つの分子間で反応を惹起する。この波長（短波ＵＶまたはＵＶＣ）でのＵＶ光により、ＤＮＡ上の隣接するチミン分子を二量体化させる。その結果生じるチミン二量体は、非常に安定している。これらの欠損が微生物のＤＮＡ上に十分蓄積される場合、その複製が阻害され、それによってＤＮＡを無害にする。さらに、ＵＶ光子により、異なる手段で生体のＤＮＡ分子に害を与える。例えば、隣接する塩基は、「はしご」に渡って結合する代わりに、互いに結合する。これによりバルジが作成され、歪んだＤＮＡ分子は適切に機能しなくなる。ＵＶＣ光への暴露が長ければ長いほど、より多くのチミン二量体がＤＮＡの中に形成される。細胞過程がＤＮＡ損傷によって中断する場合、細胞はその通常の機能を実行することができなくなる。損傷が拡大し、広範囲に広がる場合、細胞は死んでしまう。
【０１６４】
例えば、空気の流れ、湿度、微生物のＵＶ光までの距離、および照射時間といった多くの変形例によって、効果的なＵＶ量の計算がもたらされる。しかしながら、ＵＶ光が、十分なＵＶ量を与えると、いかなるＤＮＡを基とする微生物をも殺すことは、当該分野では既知である。ＵＶ光は、累積するごとにＤＮＡを破壊する。それゆえ、空気がＵＶ光源４３００を含有するチャンバ４２００を通って循環すると、ＵＶ光は継続的に空気を殺菌する。微生物がチャンバ４２００を通る第１の経路上で効果的に非活性化されない場合、ＵＶ光は、続く経路上でＤＮＡを破壊し続けるであろう。ＵＶ殺菌器具または挿入部では、微生物が移動する動的環境にあることが必要である。微生物は、制御されていない場合、急速に増える。ＵＶ殺菌器具または挿入部は、浮遊微生物を屋内環境から減少させることを支援する。
【０１６５】
本開示は、異なる設計のＵＶ殺菌器具、追加ボックス、またはアタッチメントを提供する。具体的には、端部キャップまたは追加ボックスの設計、バラストカバーまたはアタッチメントの設計、内部設計および遠隔設計など、いくつかの一般的な設計が使用可能である。
【０１６６】
図４０は、端部キャップまたは追加ボックスの設計を図示する。ボックスの設計は、他のデバイスと関連させて使用するか、または独立型デバイスとして使用することができる。図４０は、蛍光灯器具１００と共に使用するために適合した、本開示のＵＶ殺菌モジュール式追加ボックス器具５０００の別の好ましい実施形態の斜視図である。図４０は、追加ボックス殺菌器具５０００を図示する。追加ボックス殺菌器具５０００は、照明器具１００に取り付けられる。追加ボックス殺菌器具５０００は、照明器具１００の片方または両方の先端に追加することができる。追加ボックス殺菌器具５０００が、外部ケーシング５００２付きで図示される。
【０１６７】
図４１は、図４０に示す通りの、本開示のＵＶ殺菌モジュール式追加ボックス殺菌器具５０００の好ましい実施形態の斜視図である。図４１は、フロー組立部５１００および光組立部５２００を図示する、追加ボックス殺菌器具５０００の斜視図である。フロー組立部５１００は、空気発動機５１０２、入口チャンバ５１０３、バッフル５１０４、照射チャンバ５１０６、第２のバッフル５１０８、および出口チャンバ５１１０を含む。フロー組立部５１００は、追加ボックス器具５０００の中に空気の特定の流量をもたらすように、空気発動機またはファン５１０２を提供する。空気発動機５１０２により、空気の流れは入口チャンバ５１０３の中へ進み、バッフル５１０４によってそらすことができる。妨げられた空気は、乱気流状態で照射チャンバ５１０６に入る。妨げられた空気は、乱気流が維持されるように、４０００を上回る十分に高いレイノルズ数を有する。必要ではないが、４０００を上回るレイノルズ数を有する乱気流状態により、照射物質の効果の強化が提供される。さらに、照射チャンバ５１０６のサイズは、照射されている特定の殺菌性の物質の滞留時間と比例するように提供される。したがって、例えば、その物質の破壊のために、特定の殺菌性の物質を照射する時間が、より長い滞留時間を必要とする場合、チャンバのサイズを修正することができる。同様に、空気発動機５１０２の流量も、空気の流れを増加または減少するように変更することができる。限定するものではないが、重要な変数は、滞留時間、流量、ＵＶ強度、および乱気流の状態である。
【０１６８】
バッフル５１０４、５１０８により、照射チャンバ５１０６内のＵＶ光はチャンバ内に含有することができる。センサ５３００は、複数の目的のために提供される。第１に、センサ５３００は、照射チャンバ５１０６内でＵＶ光の強度を測定するために提供される。光が外に出るか、または特定の強度内ではない場合、信号が、殺菌器具５０００に対してメンテナンスが必要であると示す。また、センサ５３００は、殺菌性の物質が照射チャンバ５１０６内にある間、達成された低下の指標を提供するために、照射チャンバ５１０６内で殺菌性の物質を試験するように使用することができる。空気の流れは再び、第２のバッフル５１０８によって妨げられる。第２のバッフル５１０８はまた、照射チャンバ５１０６内の乱気流の源である。空気の流れは、第２のバッフル５１０８の周囲を通り、出口チャンバ５１１０の中へと進む。光組立部５２００は、取付具５２０２およびＵＶランプ５２０４を備える。ＵＶランプと共に使用するために適合可能ないかなる光組立部も、本開示で使用可能であろうことは、当業者によって理解することができる。また、フロー組立部５１００は、反射性の効率を増加させ、それによってＵＶ殺菌器具５０００の有効性を増加させるように、反射性表面、抗菌性表面、またはそれらの組み合わせで被覆されてもよい。
【０１６９】
図４２は、図４０および４１に図示する通りの、本開示のＵＶ殺菌モジュール式追加ボックスの好ましい実施形態の立面図である。図４２は、図４１に図示する追加ボックス殺菌器具５０００の立面断面図である。空気発動機またはファン５１０２は、入口チャンバ５１０３の中に殺菌性の物質を持ち込む空気の入口に提供される。入口チャンバ５１０３は、殺菌性の物質が照射チャンバ５１０６に進入する前に、バッフル５１０４によって強化された乱気流を提供する。照射チャンバ５１０６では、殺菌性の物質は、殺菌性の物質の所望の消毒を達成するため、殺菌性の物質の所望の低下を達成するように、十分な滞留時間で含有される。消毒された殺菌性の物質は、バッフル５１０８周辺の照射チャンバ５１０６から、出口チャンバ５１１０の中へと通過する。処理された殺菌性の物質は、出口ポート５１１２を介してチャンバ５１１０から出る。ＵＶランプ５２０４を支持する、取付具５２０２が図示される。ケーシング５００２によって、フロー組立部５１００および光組立部５２００は封入されることができる。
【０１７０】
図４３は、バラストカバーまたはアタッチメント設計を図示する。図４３は、蛍光灯器具と共に使用するために適合した、本開示のＵＶ殺菌モジュール式アタッチメントの別の好ましい実施形態の断面斜視図である。さらに、本開示のＵＶ殺菌モジュール式アタッチメントは、独立型装置として使用することができる。
【０１７１】
図４４は、図４３に図示する通りの、本開示のＵＶ殺菌モジュール式アタッチメントの好ましい実施形態の上面断面図である。図４４は、本開示の付着ＵＶ殺菌器具６０００の断面斜視図を図示する。付着殺菌器具６０００は、フロー組立部６１００および光組立部６２００を備える。フロー組立部６１００は、第１の照射チャンバ６１０３、第１のバッフル６１０１、第２の照射チャンバ６１０４、第２のバッフル６１０２、第３の照射チャンバ６１０５、第３のバッフル６１０３、第４の照射チャンバ６１０６、第４のバッフル６１０４、第５の照射チャンバ６１０７、および第５のバッフル６１０５を備える。光組立部６２００は、第１のＵＶ照射器６２１０、第２のＵＶ照射器６２１１、第３のＵＶ照射器６２１２、および第４のＵＶ照射器６２１３を備える。それぞれの照射器には、支持部およびＵＶ光エミッタが提供される。また、付着殺菌器具６０００は、２つのファンとして図示される、空気発動機６１０２を備える。さらに、取り付けられた殺菌器具６０００は、フロー組立部６１００および光組立部６２００を封入するためのケース６００２を有する。また、フロー組立部６１００は、反射性の効率を増加させ、それによって付着ＵＶ殺菌器具６０００の有効性を増加させるように、反射性表面、抗菌性表面またはそれらの組み合わせで被覆されてもよい。
【０１７２】
図４５は、図４３および４４に図示する通りの、本開示のＵＶ殺菌モジュール式アタッチメントの斜視図である。図４５は、付着殺菌器具６０００および追加ボックス殺菌器具５０００と関連付けられる、器具１００を図示する。
【０１７３】
図４６は、図４３、４４、および４５に図示する通りの、本開示のＵＶ殺菌モジュール式アタッチメントの端面図である。図４６は、器具１００と関連する追加ボックス殺菌器具５０００および付着殺菌器具６０００を伴う端面図である。
【０１７４】
さらなる利点及び変形が、当業者には容易に生じるであろう。それゆえ、そのより広い側面における本開示は、特定の詳細、代表的な装置、および本明細書に示し記載する例示的実施例に限定されない。したがって、開示する一般的な発明概念の精神または範囲から逸脱することなく、詳細から新たな試みが生み出される場合がある。
【図１】
0005921429.tif 000002
【図２】
0005921429.tif 000003
【図３】
0005921429.tif 000004
【図４】
0005921429.tif 000005
【図５】
0005921429.tif 000006
【図５Ａ】
0005921429.tif 000007
【図６】
0005921429.tif 000008
【図６Ａ】
0005921429.tif 000009
【図７】
0005921429.tif 000010
【図８】
0005921429.tif 000011
【図９】
0005921429.tif 000012
【図１０】
0005921429.tif 000013
【図１１】
0005921429.tif 000014
【図１２】
0005921429.tif 000015
【図１３】
0005921429.tif 000016
【図１４】
0005921429.tif 000017
【図１５】
0005921429.tif 000018
【図１６】
0005921429.tif 000019
【図１７】
0005921429.tif 000020
【図１８】
0005921429.tif 000021
【図１９】
0005921429.tif 000022
【図２０】
0005921429.tif 000023
【図２１】
0005921429.tif 000024
【図２２】
0005921429.tif 000025
【図２３】
0005921429.tif 000026
【図２４】
0005921429.tif 000027
【図２５Ａ】
0005921429.tif 000028
【図２５Ｂ】
0005921429.tif 000029
【図２５Ｃ】
0005921429.tif 000030
【図２５Ｄ】
0005921429.tif 000031
【図２６】
0005921429.tif 000032
【図２７】
0005921429.tif 000033
【図２８】
0005921429.tif 000034
【図２９】
0005921429.tif 000035
【図３０】
0005921429.tif 000036
【図３１】
0005921429.tif 000037
【図３１Ａ】
0005921429.tif 000038
【図３１Ｂ】
0005921429.tif 000039
【図３１Ｃ】
0005921429.tif 000040
【図３１Ｄ】
0005921429.tif 000041
【図３１Ｅ】
0005921429.tif 000042
【図３２Ａ】
0005921429.tif 000043
【図３２Ｂ】
0005921429.tif 000044
【図３２Ｃ】
0005921429.tif 000045
【図３３Ａ】
0005921429.tif 000046
【図３３Ｂ】
0005921429.tif 000047
【図３４】
0005921429.tif 000048
【図３５】
0005921429.tif 000049
【図３６】
0005921429.tif 000050
【図３７】
0005921429.tif 000051
【図３８】
0005921429.tif 000052
【図３９】
0005921429.tif 000053
【図４０】
0005921429.tif 000054
【図４１】
0005921429.tif 000055
【図４２】
0005921429.tif 000056
【図４３】
0005921429.tif 000057
【図４４】
0005921429.tif 000058
【図４５】
0005921429.tif 000059
【図４６】
0005921429.tif 000060